(57)【要約】  本発明の被監視者監視システムの中央処理装置および該方法、ならびに、前記システムでは、センサ装置で検知した、被監視者に関する監視情報を中央処理装置を介して受信して表示する複数の端末装置から成るグループと前記センサ装置との対応関係が記憶され、或る第１端末装置から、前記第１端末装置で前記センサ装置に対する所定の操作を受け付けた旨を当該中央処理装置へ通知するための第１受付通知信号が受信されると、前記第１端末装置の属するグループに属する前記第１端末装置を除く残余の第２端末装置へ、前記第１端末装置で前記所定の操作を受け付けた旨を前記残余の第２端末装置へ通知するための第２受付通知信号が送信される。
2016199502.tif 000002
【特許請求の範囲】
【請求項１】
監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理装置であって、
通信を行うための通信部と、
前記センサ装置と、前記センサ装置から受信した検知結果に基づく前記被監視者に関する監視情報を送信する第１の送信先である複数の端末装置から成る第１グループとの対応関係を記憶する送信先端末グループ情報記憶部と、
或る第１端末装置から、前記第１端末装置で前記センサ装置に対する所定の操作を受け付けた旨を当該中央処理装置へ通知するための第１受付通知信号を前記通信部で受信した場合に、前記第１端末装置の属する第１グループに属する前記第１端末装置を除く残余の第２端末装置へ、前記第１端末装置で前記所定の操作を受け付けた旨を前記残余の第２端末装置へ通知するための第２受付通知信号を前記通信部で送信する連携処理部とを備える、
中央処理装置。
【請求項２】
前記連携処理部は、さらに、前記第２端末装置で前記所定の操作を受け付けることを禁止する指令を通知するための受付禁止指令信号を前記通信部で前記第２端末装置へ送信する、
請求項１に記載の中央処理装置。
【請求項３】
前記センサ装置は、前記被監視者の動画を生成する撮像部および音を入出力する音入出力部のうちの少なくとも一方を備え、
前記所定の操作は、前記センサ装置の前記撮像部で生成された前記被監視者の動画を要求するための動画要求操作および前記センサ装置の前記音入出力部を用いた音声通話を要求するための通話要求操作のうちの少なくとも一方である、
請求項１または請求項２に記載の中央処理装置。
【請求項４】
前記連携処理部は、さらに、前記第２端末装置に前記第１端末装置で対応中である旨のメッセージを表示させるための対応中表示指令通信信号を前記通信部で前記第２端末装置へ送信する、
請求項１ないし請求項３のいずれか１項に記載の中央処理装置。
【請求項５】
前記送信先端末グループ情報記憶部は、前記センサ装置と、前記センサ装置から受信した検知結果に基づく前記被監視者に関する監視情報を、前記第１グループへの送信の次に送信する、第２の送信先である複数の端末装置から成る第２グループとの対応関係をさらに記憶し、
前記連携処理部は、前記センサ装置から受信した検知結果に基づく前記被監視者に関する監視情報を前記センサ装置に対応する前記第１グループに属する各端末装置へ前記通信部で送信した時点から所定の時間の経過までに前記第１受付通知信号を前記通信部で受信しなかった場合に、前記センサ装置から受信した検知結果に基づく前記被監視者に関する前記監視情報を前記センサ装置に対応する前記第２グループに属する各端末装置へ前記通信部で送信する、
請求項１ないし請求項４のいずれか１項に記載の中央処理装置。
【請求項６】
監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理方法であって、
前記センサ装置と、前記センサ装置から受信した検知結果に基づく前記被監視者に関する監視情報を送信する第１の送信先である複数の端末装置から成る第１グループとの対応関係を送信先端末グループ情報記憶部に記憶する記憶工程と、
或る第１端末装置から、前記第１端末装置で前記センサ装置に対する所定の操作を受け付けた旨を当該中央処理装置へ通知するための第１受付通知信号を通信部で受信した場合に、前記第１端末装置の属する第１グループに属する前記第１端末装置を除く残余の第２端末装置へ、前記第１端末装置で前記所定の操作を受け付けた旨を前記残余の第２端末装置へ通知するための第２受付通知信号を前記通信部で送信する連携処理工程とを備える、
中央処理方法。
【請求項７】
監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムであって、
前記中央処理装置は、請求項１ないし請求項５のいずれか１項に記載の中央処理装置である、
被監視者監視システム。
【発明の詳細な説明】
【技術分野】
【０００１】
本発明は、監視すべき監視対象である被監視者を複数の機器を用いて監視する被監視者監視システムの中央処理装置および中央処理方法、ならびに、前記被監視者監視システムに関する。
【背景技術】
【０００２】
我が国（日本）は、戦後の高度経済成長に伴う生活水準の向上、衛生環境の改善および医療水準の向上等によって、高齢化社会、より詳しくは、総人口に対する６５歳以上の人口の割合である高齢化率が２１％を超える超高齢化社会になっている。また、２００５年では、総人口約１億２７６５万人に対し６５歳以上の高齢者人口は、約２５５６万人であったのに対し、２０２０年では、総人口約１億２４１１万人に対し高齢者人口は、約３４５６万人となる予測もある。このような高齢化社会では、病気や怪我や高齢等による看護や介護を必要とする要看護者や要介護者（要看護者等）は、高齢化社会ではない通常の社会で生じる要看護者等よりもその増加が見込まれる。そして、我が国は、例えば２０１３年の合計特殊出生率が１．４３という少子化社会でもある。そのため、看護や介護の必要な高齢者を高齢の家族（配偶者、子、兄弟）が介護する老老介護の問題も起きて来ている。【０００３】
要看護者や要介護者は、病院や、老人福祉施設（日本の法令では老人短期入所施設、養護老人ホームおよび特別養護老人ホーム等）等の施設に入所し、その看護や介護を受ける。このような施設では、要看護者等が、例えばベッドからの転落や歩行中の転倒等によって怪我を負ったり、ベッドから抜け出して徘徊したりするなどの問題がある。このような事態に対し、可及的速やかに対応する必要があり、また、このような事態を放置しておくとさらに大きな問題に発展してしまう可能性もあるため、前記施設では、看護師や介護士等は、定期的に巡視することによってその安否や様子を確認している。【０００４】
しかしながら、要看護者等の増加数に対し看護師等の増加数が追い付かずに、看護業界や介護業界では、慢性的な人手不足という問題を抱えている。さらに、日勤の時間帯に較べ、準夜勤や夜勤の時間帯では、看護師や介護士等の人数が減るため、一人当たりの業務負荷が増大するので、前記業務負荷の軽減が要請されている。また、前記老老介護の問題は、前記施設でも例外ではなく、高齢の要看護者等を高齢の看護師等がケアすることもしばしば見られる。一般に高齢になると体力が衰えるため、健康であっても若い看護師等に比し看護等の負担が重くなり、また、その動きや判断も遅くなる。【０００５】
このような人手不足や看護師等の負担を軽減するため、看護業務や介護業務を補完する技術が求められている。このため、近年では、要看護者等の、監視すべき監視対象である被監視者を監視（モニタ）する被監視者監視装置が研究、開発されている。【０００６】
このような技術の一つとして、例えば特許文献１に開示された呼出システムがある。この特許文献１に開示された呼出システムは、複数の居室を備える施設に設置され、前記居室に居住する入居者にそれぞれ割当てられた複数の呼出端末、前記入居者の看護もしくは介護を行う施設スタッフの携帯する携帯端末、および、前記呼出端末および前記携帯端末の間で送受される前記施設スタッフの呼出に関する情報を制御して管理する管理サーバを有し、前記呼出端末、前記携帯端末、および前記管理サーバが施設内ネットワークに接続して構築された呼出システムであって、前記呼出端末は、タッチパネル機能を備える呼出端末ディスプレイと、前記施設スタッフを呼出す用件を示す複数の用件ボタンを前記呼出端末ディスプレイに表示するボタン表示制御手段と、複数の前記用件ボタンのうちの一つがタッチされる呼出操作を前記タッチパネル機能によって検知すると、前記用件ボタンに対応する呼出情報を、前記呼出端末に固有の端末識別情報とともに前記施設内ネットワークを通じて前記管理サーバに送出する呼出情報送出手段とを具備し、前記管理サーバは、前記入居者の氏名および前記居室の部屋番号を含む入居者情報、および、前記入居者に割当てられた前記呼出端末に固有の端末識別情報を前記入居者情報と関連付けて記憶し登録する入居者登録手段と、前記施設スタッフの氏名および担当する前記入居者または前記居室に関する情報を含むスタッフ情報、および、前記施設スタッフの携帯する前記携帯端末に固有の携帯識別情報を前記スタッフ情報と関連付けて記憶し登録するスタッフ登録手段と、前記呼出端末から送出された前記呼出情報を受付ける呼出情報受付手段と、受付けた前記呼出情報を送出した前記呼出端末を前記端末識別情報に基づいて特定し、前記呼出端末が割当てられた前記入居者または前記居室を担当する前記施設スタッフの携帯する前記携帯端末を前記スタッフ情報に基づいて抽出する携帯端末抽出手段と、抽出された前記携帯端末に前記呼出情報を、前記呼出情報を送出した前記呼出端末が割当てられた前記入居者の前記入居者情報を付して前記施設内ネットワークを通じて転送する呼出情報転送手段とを具備し、前記携帯端末は、携帯端末ディスプレイと、転送された前記呼出情報および前記入居者情報を前記施設内ネットワークの無線通信回線を通じて受付ける呼出情報転送受付手段と、受付けた前記呼出情報および前記入居者情報を前記携帯端末ディスプレイに表示するための携帯表示制御手段とを具備する。そして、この呼出システムにおいて、前記呼出端末は、前記呼出情報の送出後、前記施設スタッフを呼出中の状態を前記呼出端末ディスプレイに表示するための呼出中表示制御手段と、前記管理サーバから前記呼出情報が転送された前記携帯端末から、前記入居者の前記居室に向かう旨を通知する確認情報を前記管理サーバが受付けると呼出受付中の状態を前記呼出端末ディスプレイに表示する呼出受付中表示制御手段とをさらに具備し、前記管理サーバは、前記携帯端末から前記確認情報を受付ける確認情報受付手段とをさらに具備し、前記携帯端末は、受付けた前記呼出情報の内容を確認した前記施設内スタッフによる、前記居室に向かう旨を通知する確認情報の入力を受付けて前記施設内ネットワークを通じて前記管理サーバに送出する確認情報入力送出手段とを具備する。【０００７】
一方、安否確認の点では、一人暮らしの独居者も前記要看護者等と同様であり、被監視対象者となる。【０００８】
前記特許文献１に開示された呼出システムでは、呼出端末で用件ボタンの呼出操作を受け付けると、管理サーバによって前記呼出端末の居室を担当する施設スタッフの携帯端末に呼出情報が送信され、前記呼出情報が携帯端末に表示され、前記携帯端末は、前記居室に向かう旨を受け付けると、その旨を前記管理サーバに通知している。【０００９】
ところで、病院や老人福祉施設等の前記施設では、通常、複数の看護師等が業務し、複数の看護師等それぞれが携帯端末を携帯している。前記特許文献１に開示された呼出システムでは、呼出端末、管理サーバおよび携帯端末の間では、情報の送受信があり、相互に連携されているが、複数の携帯端末間では、相互に連携されていない。このため、要看護者等に関する通知が複数の携帯端末に送信されるシステムに、前記特許文献１に開示された呼出システムを適用してしまうと、一方の携帯端末を持つ看護師等が前記要看護者等に対応したとしても、その状況を他の携帯端末を持つ他の看護師等は、認識できない。このため、一人の要看護者等に複数の看護師等が対応しようとして駆けつけてしまう状況が生じしまう虞がある。あるいは、他の看護師等の状況が認識できないために、逆に、複数の看護師等のうちの誰も要看護者等に対応しない状況が生じしまう虞がある。
【先行技術文献】
【特許文献】
【００１０】
【特許文献１】特開２０１４−９０９１３号公報
【発明の概要】
【００１１】
本発明は、上述の事情に鑑みて為された発明であり、その目的は、端末装置間を相互に連携させ得る被監視者監視システムの中央処理装置および中央処理方法、ならびに、前記被監視者監視システムを提供することである。
【００１２】
本発明にかかる被監視者監視システムの中央処理装置および中央処理方法、ならびに、前記被監視者監視システムでは、センサ装置で検知した、被監視者に関する監視情報を中央処理装置を介して受信して表示する複数の端末装置から成るグループと前記センサ装置との対応関係が記憶され、或る第１端末装置から、前記第１端末装置で前記センサ装置に対する所定の操作を受け付けた旨を当該中央処理装置へ通知するための第１受付通知信号が受信されると、前記第１端末装置の属するグループに属する前記第１端末装置を除く残余の第２端末装置へ、前記第１端末装置で前記所定の操作を受け付けた旨を前記残余の第２端末装置へ通知するための第２受付通知信号が送信される。したがって、本発明にかかる被監視者監視システムの中央処理装置および中央処理方法、ならびに、前記被監視者監視システムは、端末装置間を相互に連携させ得る。
【００１３】
上記並びにその他の本発明の目的、特徴及び利点は、以下の詳細な記載と添付図面から明らかになるであろう。
【図面の簡単な説明】
【００１４】
【図１】実施形態における被監視者監視システムの構成を示す図である。
【図２】前記被監視者監視システムにおける管理サーバ装置の構成を示す図である。
【図３】前記管理サーバ装置に記憶される監視情報テーブルの構成を示す図である。
【図４】前記管理サーバ装置に記憶されるグループ情報テーブルの構成を示す図である。
【図５】前記管理サーバ装置に記憶される端末情報テーブルの構成を示す図である。
【図６】前記管理サーバ装置に記憶されるセンサ情報テーブルの構成を示す図である。
【図７】前記管理サーバ装置に記憶される被監視者情報テーブルの構成を示す図である。
【図８】前記被監視者監視システムにおける携帯端末装置の構成を示す図である。
【図９】前記携帯端末装置における、監視情報の通知に関する動作を示すフローチャートである。
【図１０】前記携帯端末装置に表示される待受け画面の一例を示す図である。
【図１１】被監視者の起床の通知を受けた、前記携帯端末装置に表示される監視情報画面の一例を示す図である。
【図１２】前記監視サーバ装置における、携帯端末装置間の連携に関する動作を示すフローチャートである。
【図１３】前記携帯端末装置における、携帯端末装置間の連携に関する動作を示すフローチャートである。
【図１４】一例として、２個の携帯端末装置間の連携動作を説明するためのシーケンス図である。
【図１５】一例として、２個の携帯端末装置間の連携動作における画面遷移を説明するための図である。
【図１６】前記監視サーバ装置における、監視情報を第２グループへ送信する動作を示すフローチャートである。
【発明を実施するための形態】
【００１５】
以下、本発明にかかる実施の一形態を図面に基づいて説明する。なお、各図において同一の符号を付した構成は、同一の構成であることを示し、適宜、その説明を省略する。本明細書において、総称する場合には添え字を省略した参照符号で示し、個別の構成を指す場合には添え字を付した参照符号で示す。
【００１６】
図１は、実施形態における被監視者監視システムの構成を示す図である。図２は、前記被監視者監視システムにおける管理サーバ装置の構成を示す図である。図３は、前記管理サーバ装置に記憶される監視情報テーブルの構成を示す図である。図４は、前記管理サーバ装置に記憶されるグループ情報テーブルの構成を示す図である。図５は、前記管理サーバ装置に記憶される端末情報テーブルの構成を示す図である。図６は、前記管理サーバ装置に記憶されるセンサ情報テーブルの構成を示す図である。図７は、前記管理サーバ装置に記憶される被監視者情報テーブルの構成を示す図である。図８は、前記被監視者監視システムにおける携帯端末装置の構成を示す図である。
【００１７】
本被監視者監視システムは、監視すべき（見守るべき）監視対象（見守り対象）である被監視者（見守り対象者）Ｏｂを検知して前記被監視者Ｏｂを複数の機器によって監視するものである。このような被監視者監視システムＭＳは、例えば、図１に示すように、１または複数のセンサ装置（検知装置）ＳＵ（ＳＵ−１〜ＳＵ−４）と、管理サーバ装置ＳＶと、固定端末装置ＳＰと、１または複数の携帯端末装置ＴＡ（ＴＡ−１、ＴＡ−２）とを備え、これらは、有線や無線で、ＬＡＮ（Ｌｏｃａｌ  Ａｒｅａ  Ｎｅｔｗｏｒｋ）、電話網およびデータ通信網等の網（ネットワーク、通信回線）ＮＷを介して通信可能に接続される。ネットワークＮＷには、通信信号を中継する例えばリピーター、ブリッジ、ルーターおよびクロスコネクト等の中継機が備えられても良い。図１に示す例では、これら複数のセンサ装置ＳＵ−１〜ＳＵ−４、管理サーバ装置ＳＶ、固定端末装置ＳＰおよび複数の携帯端末装置ＴＡ−１、ＴＡ−２は、アクセスポイントＡＰを含む無線ＬＡＮ（例えばＩＥＥＥ８０２．１１規格に従ったＬＡＮ等）ＮＷによって互いに通信可能に接続されている。
【００１８】
被監視者監視システムＭＳは、被監視者Ｏｂに応じて適宜な場所に配設される。被監視者（見守り対象者）Ｏｂは、例えば、病気や怪我等によって看護を必要とする者や、身体能力の低下等によって介護を必要とする者や、一人暮らしの独居者等である。特に、早期発見と早期対処とを可能にする観点から、被監視者Ｏｂは、例えば異常状態等の所定の不都合な事象がその者に生じた場合にその発見を必要としている者であることが好ましい。このため、被監視者監視システムＭＳは、被監視者Ｏｂの種類に応じて、病院、老人福祉施設および住戸等の建物に好適に配設される。図１に示す例では、被監視者監視システムＭＳは、複数の被監視者Ｏｂが入居する複数の居室ＲＭや、ナースステーションＳＴ等の複数の部屋を備える介護施設の建物に配設されている。
【００１９】
センサ装置ＳＵは、ネットワークＮＷを介して他の装置ＳＶ、ＳＰ、ＴＡと通信する通信機能を備え、被監視者Ｏｂを撮像して画像を生成しこの生成した画像から被監視者Ｏｂを検知する機器である。より具体的には、センサ装置ＳＵは、例えば、ネットワークを介して他の装置ＳＶ、ＳＰ、ＴＡと通信するための通信インターフェース回路（例えばＬＡＮカード等）、マイクロ波を送受信して被監視者Ｏｂの体動（例えば呼吸動作等）によって生じた前記マイクロ波のドップラシフトを検出することで被監視者Ｏｂを検知するドップラシフト方式の体動センサ、被監視者Ｏｂを撮像して画像を生成する画像センサ、前記体動センサの出力（体動センサ出力）および前記画像センサの出力（画像）に基づいて被監視者Ｏｂの検知結果として被監視者Ｏｂの状態（状況）を判定するデータ処理回路、これらを制御する制御回路およびその周辺回路を備えて構成され、前記検知結果を管理サーバ装置ＳＶへ送信する。センサ装置ＳＵは、所定の他の装置ＳＶ、ＳＰ、ＴＡに前記生成した画像（静止画および動画を含む）を送信する。図１には、一例として、４個の第１ないし第４センサ装置ＳＵ−１〜ＳＵ−４が示されており、第１センサ装置ＳＵ−１は、被監視者Ｏｂの一人であるＡさんＯｂ−１の居室ＲＭ−１（不図示）に配設され、第２センサ装置ＳＵ−２は、被監視者Ｏｂの一人であるＢさんＯｂ−２の居室ＲＭ−２（不図示）に配設され、第３センサ装置ＳＵ−３は、被監視者Ｏｂの一人であるＣさんＯｂ−３の居室ＲＭ−３（不図示）に配設され、そして、第４センサ装置ＳＵ−４は、被監視者Ｏｂの一人であるＤさんＯｂ−４の居室ＲＭ−４（不図示）に配設されている。
【００２０】
固定端末装置ＳＰは、ネットワークＮＷを介して他の装置ＳＵ、ＳＶ、ＴＡと通信する通信機能、所定の情報を表示する表示機能、および、所定の指示やデータを入力する入力機能等を備え、管理サーバ装置ＳＶや携帯端末装置ＴＡに与える所定の指示やデータを入力したり、センサ装置ＳＵで得られた検知結果や画像を表示したり等することによって、被監視者監視システムＭＳのユーザインターフェース（ＵＩ）として機能する機器である。このような固定端末装置ＳＰは、例えば、通信機能付きのコンピュータによって構成可能である。
【００２１】
管理サーバ装置ＳＶは、ネットワークＮＷを介して他の装置ＳＵ、ＳＰ、ＴＡと通信する通信機能を備え、センサ装置ＳＵから被監視者Ｏｂに関する前記検知結果を受信して被監視者Ｏｂに対する監視に関する監視情報を管理する機器である。このような管理サーバ装置ＳＶは、例えば、図２に示すように、サーバ制御処理部（ＳＶ制御処理部）１１と、サーバ記憶部（ＳＶ記憶部）１２と、サーバ通信インターフェース部（ＳＶ通信ＩＦ部）１３とを備える。なお、管理サーバ装置ＳＶは、中央処理装置の一例である。
【００２２】
ＳＶ通信ＩＦ部１３は、ＳＶ制御処理部１１に接続され、ＳＶ制御処理部１１の制御に従って通信を行うための回路である。ＳＶ通信ＩＦ部１３は、ＳＶ制御処理部１１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＰ、ＴＡへ送信する。ＳＶ通信ＩＦ部１３は、ネットワークＮＷを介して他の装置ＳＵ、ＳＰ、ＴＡから通信信号を受信し、この受信した通信信号からデータを取り出し、この取り出したデータをＳＶ制御処理部１１が処理可能な形式のデータに変換してＳＶ制御処理部１１へ出力する。
【００２３】
ＳＶ記憶部１２は、ＳＶ制御処理部１１に接続され、ＳＶ制御処理部１１の制御に従って、各種の所定のプログラムおよび各種の所定のデータを記憶する回路である。前記各種の所定のプログラムには、例えば、クライアント（本実施形態では固定端末装置ＳＰおよび携帯端末装置ＴＡ等）の要求に応じたデータを前記クライアントに提供するサーバプログラムや、被監視者Ｏｂに対する監視に関する前記監視情報を処理する監視処理プログラム等の制御処理プログラムが含まれる。前記監視処理プログラムには、複数の端末装置（図１に示す例では固定端末装置ＳＰおよび携帯端末装置ＴＡ、以下、「端末装置ＳＰ、ＴＡ」は、固定端末装置ＳＰおよび携帯端末装置ＴＡを意味する）間を相互に連携する連携処理プログラムが含まれる。前記各種の所定のデータには、端末装置ＳＰ、ＴＡの通信アドレス（例えばＩＰアドレス等）、被監視者Ｏｂに対する監視に関する前記監視情報、センサ装置ＳＵから前記監視情報を受信した場合に前記監視情報を送信すべき携帯端末装置ＴＡのグループに関するグループ情報、携帯端末装置ＴＡに関する端末情報、センサ装置ＳＵに関するセンサ情報、および、被監視者Ｏｂに関する被監視者情報等の各データが含まれる。前記グループ情報には、携帯端末装置ＴＡに加えて固定端末装置ＳＰが含まれても良い。ＳＶ記憶部１２は、例えばＲＯＭ（Ｒｅａｄ  Ｏｎｌｙ  Ｍｅｍｏｒｙ）や書き換え可能な不揮発性の記憶素子であるＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）等を備える。そして、ＳＶ記憶部１２は、前記所定のプログラムの実行中に生じるデータ等を記憶するいわゆるＳＶ制御処理部１１のワーキングメモリとなるＲＡＭ（Ｒａｎｄｏｍ  Ａｃｃｅｓｓ  Ｍｅｍｏｒｙ）等を含む。
【００２４】
ＳＶ記憶部１２は、前記監視情報を記憶するサーバ監視情報記憶部（ＳＶ監視情報記憶部）１２１および前記グループ情報、前記端末情報、前記センサ情報および前記被監視者情報等を設定情報として記憶するサーバ設定情報記憶部（ＳＶ設定情報記憶部）１２２を機能的に備えている。
【００２５】
ＳＶ監視情報記憶部１２１は、被監視者Ｏｂに対する監視に関する前記監視情報を記憶するものである。前記監視情報は、センサ装置ＳＵ、端末装置ＳＰ、ＴＡから受信した、被監視者Ｏｂに関する情報であり、センサ装置ＳＵを特定し識別するためのセンサ装置識別子（センサＩＤ）、前記センサＩＤに対応付けられ前記センサＩＤを持つ前記センサ装置ＳＵで被監視者Ｏｂの状態として判定された判定結果を表す情報（判定結果情報；本実施形態では起床、離床、転倒転落、微体動異常を含む）、前記センサＩＤに対応付けられ前記センサＩＤを持つ前記センサ装置ＳＵで被監視者Ｏｂの状態を判定した時刻を表す情報（判定時刻情報）、前記センサＩＤに対応付けられ前記センサＩＤを持つ前記センサ装置ＳＵで被監視者Ｏｂの状態を判定した際に用いられた被監視者Ｏｂの静止画（複数の画像を用いて判定した場合にはそのうちの１つ（例えば最終の画像））、前記センサＩＤに対応付けられ前記センサＩＤを持つ前記センサ装置ＳＵの通信アドレス（例えばＩＰアドレス等）、前記センサＩＤに対応付けられ前記センサＩＤを持つ前記センサ装置ＳＵで監視されている被監視者Ｏｂの状況を端末装置ＳＰ、ＴＡで確認中であるか否かを示す状況確認中情報、および、前記センサＩＤに対応付けられ前記センサＩＤを持つ前記センサ装置ＳＵで監視されている被監視者Ｏｂに対する例えば救命、看護、介護および介助等の対応を実際に実行した事実または実行する意思が端末装置ＳＰ、ＴＡに入力されたか否かを示す復旧情報（対応情報）等を含む。なお、前記判定時刻に代え、前記判定結果および前記画像の通報を受けた通信信号の受信時刻が用いられても良い。
【００２６】
この監視情報は、本実施形態では、テーブル形式でＳＶ監視情報記憶部１２１に記憶されている。この監視情報を登録するサーバ監視情報テーブル（ＳＶ監視情報テーブル）ＭＴ−ＳＶは、例えば、図３に示すように、前記センサＩＤを登録するセンサＩＤフィールド１２１１と、センサＩＤフィールド１２１１に登録されたセンサＩＤに対応するセンサ装置ＳＵにかかる前記判定結果情報を登録する判定結果フィールド１２１２と、センサＩＤフィールド１２１１に登録されたセンサＩＤに対応するセンサ装置ＳＵにかかる前記判定時刻情報を登録する判定時刻フィールド１２１３と、センサＩＤフィールド１２１１に登録されたセンサＩＤに対応するセンサ装置ＳＵにかかる前記静止画を登録する静止画フィールド１２１４と、ライブ動画の取得先として、センサＩＤフィールド１２１１に登録されたセンサＩＤに対応するセンサ装置ＳＵの通信アドレス（例えばＩＰアドレス等）を登録する動画フィールド１２１５と、センサＩＤフィールド１２１１に登録されたセンサＩＤに対応するセンサ装置ＳＵで監視されている被監視者Ｏｂに対する前記状況確認中情報を登録する状況確認中フィールド１２１６と、センサＩＤフィールド１２１１に登録されたセンサＩＤに対応するセンサ装置ＳＵで監視されている被監視者Ｏｂに対する前記復旧情報を登録する復旧フィールド１２１７とを備え、センサ装置ＳＵから受信した監視情報通信信号ごとにレコードを備える。状況確認中フィールド１２１６には、前記状況確認中であるか否かを示す状況確認中情報として、被監視者Ｏｂの状況を確認している状況確認中である場合には、被監視者Ｏｂの状況を確認している端末装置ＳＰ、ＴＡの端末識別子（端末ＩＤ）が登録され、被監視者Ｏｂの状況を確認していない非状況確認中である場合には、そのことを意味するフラグ「０」が登録される。端末ＩＤは、固定端末装置ＳＰおよび携帯端末装置ＴＡを特定し識別するための識別子である。復旧フィールド１２１７には、前記復旧の入否を示す復旧情報を示すフラグが登録されている。例えば、本実施形態では、復旧フィールド１２１７には、前記対応を実際に実行した事実または実行する意思（以下、適宜「前記対応の事実等」と略記する）が端末装置ＳＰ、ＴＡに入力されたことを意味するフラグ「１」、あるいは、前記対応の事実等が端末装置ＳＰ、ＴＡに入力されていないことを意味するフラグ「０」が登録される。なお、デフォルトでは、状況確認中フィールド１２１６には、前記非状況確認中であることを意味するフラグ「０」が登録され、復旧フィールド１２１７には、前記対応の事実等の非入力を意味するフラグ「０」が登録される。静止画フィールド１２１４には、例えば、静止画の画像データが登録されて良く、また例えば、静止画の画像データのファイル名が登録されて良い。この図３に示す例では、第１番目のレコードにおいて、センサＩＤフィールド１２１１、判定結果フィールド１２１２、判定時刻フィールド１２１３、静止画フィールド１２１４、動画フィールド１２１５、状況確認中フィールド１２１６および復旧フィールド１２１７それぞれには、「ＳＵ−１」、「起床」、「０６：３２」、「ＳＰ１」、「＊＊．＊＊．＊＊．＊＊」（＊＊は整数値）、「０」および「０」が登録されている。
【００２７】
なお、図３に示す例では、監視情報テーブルＭＴは、動画フィールド１２１５を備えたが、センサＩＤと、ライブ動画の取得先として、センサ装置ＳＵの通信アドレスとの対応関係を示すテーブルがＳＶ監視情報テーブルＭＴ−ＳＶとは別途に用意されてＳＶ監視情報記憶部１２１に予め記憶され、図３に示すＳＶ監視情報テーブルＭＴ−ＳＶから、動画フィールド１２１５が省略されても良い。センサＩＤは、通信アドレス（例えば、ＭＡＣ（Ｍｅｄｉａ  Ａｃｃｅｓｓ  Ｃｏｎｔｒｏｌ）アドレスやＩＰ（Ｉｎｔｅｒｎｅｔ  Ｐｒｏｔｏｃｏｌ）アドレス等）であっても良く、この場合、動画フィールド１２１５や前記対応関係を省略できる。同様に、端末ＩＤも通信アドレスであって良い。
【００２８】
ＳＶ設定情報記憶部１２２は、前記グループ情報、前記端末情報、前記センサ情報および前記被監視者情報等を設定情報として記憶するものである。前記グループ情報は、例えば、センサ装置ＳＵから受信した検知結果に基づく被監視者Ｏｂに関する監視情報を送信するグループと、前記グループに属する監視者（本実施形態では例えば介護士）との対応関係を示す情報である。前記端末情報は、例えば、監視者と、前記監視者が扱う携帯端末装置ＴＡとの対応関係を示す情報である。前記センサ情報は、例えば、センサ装置ＳＵと、前記センサ装置ＳＵにおける配設場所と、前記センサ装置ＳＵで監視される被監視者Ｏｂとの対応関係を示す情報である。前記被監視者情報は、例えば、被監視者Ｏｂと、前記被監視者Ｏｂをセンシングしているセンサ装置ＳＵから受信した検知結果に基づく被監視者Ｏｂに関する監視情報を送信する第１の送信先である第１グループと、前記第１グループへの送信の次に送信する、第２の送信先である第２グループとの対応関係を示す情報である。本実施形態では、一例として、これら前記グループ情報、前記端末情報、前記センサ情報および前記被監視者情報から、センサ装置ＳＵから受信した検知結果に基づく被監視者Ｏｂに関する監視情報を送信する第１の送信先である複数の携帯端末装置ＴＡから成る第１グループとの対応関係、および、前記センサ装置ＳＵから受信した検知結果に基づく前記被監視者Ｏｂに関する前記監視情報を、前記第１グループへの送信の次に送信する、第２の送信先である複数の携帯端末装置ＴＡから成る第２グループとの対応関係が、構成されている。
【００２９】
これら前記グループ情報、前記端末情報、前記センサ情報および前記被監視者情報それぞれは、本実施形態では、テーブル形式でＳＶ設定情報記憶部１２２に記憶されている。
【００３０】
前記グループ情報を登録するグループ情報テーブルＧＴは、例えば、図４に示すように、グループを特定し識別するための識別子であるグループＩＤを登録するグループフィールド５１１と、グループフィールド５１１に登録されたグループＩＤに対応するグループに属する監視者の名前を登録する監視者フィールド５１２とを備え、グループＩＤごとにレコードを備える。この図４に示す例では、第１番目のレコードにおいて、グループＩＤフィールド５１１および監視者フィールド５１２それぞれには、「Ｇｒ１」および「介護士ＮＡ、介護士ＮＢ、介護士ＮＣ」が登録されており、グループＩＤ；「Ｇｒ１」を持つグループには、介護士ＮＡ、介護士ＮＢおよび介護士ＮＣが属している。
【００３１】
前記端末情報を登録する端末情報テーブルＴＴは、例えば、図５に示すように、監視者の名前を登録する監視者フィールド５２１と、監視者フィールド５２１に登録された監視者が扱う携帯端末装置ＴＡの端末ＩＤを登録する端末ＩＤフィールド５２２とを備え、監視者ごとにレコードを備える。この図５に示す例では、第１番目のレコードにおいて、監視者フィールド５２１および端末ＩＤフィールド５２２それぞれには、「介護士ＮＡ」および「ＴＡ−１」が登録されており、介護士ＮＡは、端末ＩＤ；「ＴＡ−１」を持つ携帯端末装置ＴＡ−１にログインして、この携帯端末装置ＴＡ−１を扱っている。
【００３２】
前記センサ情報を登録するサーバセンサ情報テーブル（ＳＶセンサ情報テーブル）ＰＴ−ＳＶは、例えば、図６に示すように、センサＩＤを登録するセンサＩＤフィールド５３１と、センサＩＤフィールド５３１に登録されたセンサＩＤに対応するセンサ装置ＳＵの配設場所を登録する配設場所フィールド５３２と、センサＩＤフィールド５３１に登録されたセンサＩＤに対応する前記センサ装置ＳＵで監視される被監視者Ｏｂの名前を登録する被監視者フィールド５３３とを備え、センサＩＤごとにレコードを備える。この図６に示す例では、第１番目のレコードにおいて、センサＩＤフィールド５３１、配設場所フィールド５３２および被監視者フィールド５３３それぞれには、「ＳＵ−１」、「１０１」および「Ａさん」が登録されており、センサＩＤ；「ＳＵ−１」を持つセンサ装置ＳＵ−１は、居室１０１に配設され、Ａさんを検知している。
【００３３】
前記被監視者情報を登録する被監視者テーブルＤＴは、例えば、図７に示すように、被監視者Ｏｂの名前を登録する被監視者フィールド５４１と、被監視者フィールド５４１の被監視者Ｏｂを検知しているセンサ装置ＳＵから受信した検知結果に基づく前記被監視者Ｏｂに関する監視情報を送信する第１の送信先である第１グループのグループＩＤを登録する第１送信先フィールド（プライマリーフィールド）５４２と、被監視者フィールド５４１の被監視者Ｏｂをセンシングしているセンサ装置ＳＵから受信した検知結果に基づく前記被監視者Ｏｂに関する監視情報を前記第１グループへの送信の次に送信する、第２の送信先である第２グループのグループＩＤを登録する第２送信先フィールド（セカンダリーフィールド）５４３とを備え、被監視者ごとにレコードを備える。この図７に示す例では、第１番目のレコードにおいて、被監視者フィールド５４１、第１送信先フィールド５４２および第２送信先フィールド５４３それぞれには、「Ａさん」、「Ｇｒ１」および「Ｇｒ２」が登録されており、被監視者；「Ａさん」をセンシングしている装置ＳＵ−１から受信した前記監視情報は、まず、グループＩＤ；「Ｇｒ１」を持つグループ（第１グループに相当する）に属する監視者の扱う携帯端末装置ＴＡに送信され、その後、所定の条件を満たすと、グループＩＤ；「Ｇｒ２」を持つグループ（第２グループに相当する）に属する監視者の扱う携帯端末装置ＴＡに送信される。
【００３４】
なお、前記第１および第２グループそれぞれには、携帯端末装置ＴＡに加えて固定端末装置ＳＰが含まれても良い。特に、第２グループには、対応遅れや対応漏れを防止するために、固定端末装置ＳＰが含まれることが好ましい。
【００３５】
ＳＶ制御処理部１１は、管理サーバ装置ＳＶの各部を当該各部の機能に応じてそれぞれ制御し、センサ装置ＳＵから被監視者Ｏｂに関する検知結果を受信して被監視者Ｏｂの監視情報を管理する回路である。ＳＶ制御処理部１１は、例えば、ＣＰＵ（Ｃｅｎｔｒａｌ  Ｐｒｏｃｅｓｓｉｎｇ  Ｕｎｉｔ）およびその周辺回路を備えて構成される。ＳＶ制御処理部１１には、制御処理プログラムが実行されることによって、サーバ制御部（ＳＶ制御部）１１１、サーバ監視処理部（ＳＶ監視処理部）１１２および連携処理部１１３を機能的に備える。
【００３６】
ＳＶ制御部１１１は、管理サーバ装置ＳＶの各部を当該各部の機能に応じてそれぞれ制御し、管理サーバ装置ＳＶの全体制御を司るものである。
【００３７】
ＳＶ監視処理部１１２は、前記監視情報を管理するものである。より具体的には、例えば、本実施形態では、ＳＶ監視処理部１１２は、センサ装置ＳＵから後述の監視情報通信信号をＳＶ通信ＩＦ部１３で受信すると、この受信した監視情報通信信号に収容されている各情報をＳＶ監視情報テーブルＭＴ−ＳＶに登録することでＳＶ監視情報記憶部１２１に記憶し、前記監視情報通信信号に必要な修正を後述のように加えて端末装置ＳＰ、ＴＡにＳＶ通信ＩＦ部１３で送信する。これら各通信信号の送受信において、ＳＶ監視処理部１１２は、必要に応じて、ＳＶ監視情報テーブルＭＴ−ＳＶにおける状況確認中フィールド１２１６や復旧フィールド１２１７を書き換えて更新する。
【００３８】
連携処理部１１３は、或る携帯端末装置ＴＡから、前記携帯端末装置ＴＡでセンサ装置ＳＵに対する所定の操作を受け付けた旨を当該管理サーバ装置ＳＶへ通知するための通信信号（第１受付通知信号）をＳＶ通信ＩＦ部１３で受信した場合に、前記携帯端末装置ＴＡの属する第１グループに属する前記携帯端末装置ＴＡを除く残余の第２携帯端末装置ＴＡへ、前記第１携帯端末装置ＴＡで前記所定の操作を受け付けた旨を前記残余の第２携帯端末装置ＴＡへ通知するための通信信号（第２受付通知信号）をＳＶ通信ＩＦ部１３で送信するものである。連携処理部１１３は、さらに、前記第２携帯端末装置ＴＡで前記所定の操作を受け付けることを禁止する指令を通知するための通信信号（受付禁止指令信号）をＳＶ通信ＩＦ部１３で前記第２携帯端末装置ＴＡへ送信する。連携処理部１１３は、さらに、前記第２携帯端末装置ＴＡに前記第１携帯端末装置ＴＡで対応中である旨のメッセージを表示させるための通信信号（対応中表示指令通信信号）をＳＶ通信ＩＦ部１３で前記第２携帯端末装置ＴＡへ送信する。なお、本実施形態では、前記受付禁止指令信号は、前記第２受付通知信号と兼用され、さらに、前記対応中表示指令通信信号は、前記受付禁止指令信号と兼用される。したがって、本実施形態では、前記第２受付通知信号は、前記受付禁止指令信号として機能するとともに、前記対応中表示指令通信信号として機能する。そして、連携処理部１１３は、センサ装置ＳＵから受信した検知結果に基づく被監視者Ｏｂに関する監視情報を前記センサ装置ＳＵに対応する第１グループに属する各携帯端末装置ＴＡへＳＶ通信ＩＦ部１３で送信した時点から所定の時間（例えば、５分、１０分および２０分等）の経過までに前記第１受付通知信号をＳＶ通信ＩＦ部１３で受信しなかった場合に、前記センサ装置ＳＵから受信した検知結果に基づく前記被監視者Ｏｂに関する前記監視情報を前記センサ装置ＳＵに対応する第２グループに属する各携帯端末装置ＴＡへＳＶ通信ＩＦ部１３で送信する。
【００３９】
なお、管理サーバ装置ＳＶは、図２に破線で示すように、必要に応じて、さらに、ＳＶ制御処理部１１に接続され例えば各種コマンドや各種データ等を入力するサーバ入力部（ＳＶ入力部）１４、ＳＶ入力部１４で入力された各種コマンドや各種データおよび被監視者Ｏｂに対する監視に関する情報等を出力するサーバ出力部（ＳＶ出力部）１５、および、外部機器との間でデータの入出力を行うサーバインターフェース部（ＳＶＩＦ部）１６等を備えても良い。
【００４０】
このような管理サーバ装置ＳＶは、例えば、通信機能付きのコンピュータによって構成可能である。
【００４１】
次に、携帯端末装置ＴＡについて説明する。携帯端末装置ＴＡは、ネットワークＮＷを介して他の装置ＳＶ、ＳＰ、ＳＵと通信する通信機能、所定の情報を表示する表示機能、所定の指示やデータを入力する入力機能、および、音声通話を行う通話機能等を備え、管理サーバ装置ＳＶやセンサ装置ＳＵに与える所定の指示やデータを入力したり、管理サーバ装置ＳＶからの通知によってセンサ装置ＳＵで得られた前記検知結果や画像を表示したり等することによって、被監視者Ｏｂに対する監視に関する前記監視情報を受け付けて表示する機器である。
【００４２】
このような携帯端末装置ＴＡは、本実施形態では、例えば、図８に示すように、端末制御処理部（ＴＡ制御処理部）４１と、端末記憶部（ＴＡ記憶部）４２と、端末通信インターフェース部（ＴＡ通信ＩＦ部）４３と、端末音入出力部（ＴＡ音入出力部）４４と、端末入力部（ＴＡ入力部）４５と、端末表示部（ＴＡ表示部）４６と、端末インターフェース部（ＴＡＩＦ部）４７とを備える。
【００４３】
ＴＡ音入出力部４４は、ＴＡ制御処理部４１に接続され、外部の音を取得して携帯端末装置ＴＡに入力するための回路であって、ＴＡ制御処理部４１の制御に従って音を表す電気信号に応じた音を生成して出力するための回路である。ＴＡ音入出力部４４は、例えば、音の音響振動を電気信号に変換するマイクロホン等と、音の電気信号を音の音響振動に変換するスピーカ等とを備えて構成される。ＴＡ音入出力部４４は、外部の音を表す電気信号をＴＡ制御処理部４４へ出力し、また、ＴＡ制御処理部４４から入力された電気信号を音の音響振動に変換して出力する。
【００４４】
ＴＡ入力部４５は、ＴＡ制御処理部４１に接続され、例えば、所定の操作を受け付け、携帯端末装置ＴＡに入力するデバイスであり、例えば、所定の機能を割り付けられた複数の入力スイッチ等である。前記所定の操作には、例えば、ログインするためのＩＤの入力操作や、前記検知結果および前記画像を通報された被監視者Ｏｂをセンシングするセンサ装置ＳＵによって撮像される動画を表示させる指示の入力操作や、前記検知結果および前記画像を通報された被監視者Ｏｂに対する前記対応の事実等の入力操作等の監視する上で必要な各種操作等が含まれる。ＴＡ表示部４６は、ＴＡ制御処理部４１に接続され、ＴＡ制御処理部４１の制御に従って、ＴＡ入力部４５から入力された所定の操作内容、および、被監視者監視システムＭＳによって監視されている被監視者Ｏｂに対する監視に関する前記監視情報（例えば判定された被監視者Ｏｂの状態や画像等）等を表示するデバイスであり、例えばＬＣＤおよび有機ＥＬディスプレイ等の表示装置である。そして、本実施形態では、ＴＡ入力部４５およびＴＡ表示部４６からタッチパネルが構成されている。この場合において、ＴＡ入力部４５は、例えば抵抗膜方式や静電容量方式等の操作位置を検出して入力する位置入力デバイスである。このタッチパネルでは、ＴＡ表示部４６の表示面上に位置入力デバイスが設けられ、ＴＡ表示部４６に入力可能な１または複数の入力内容の候補が表示され、例えば看護師や介護士等のユーザ（監視者）が、入力したい入力内容を表示した表示位置を触れると、位置入力デバイスによってその位置が検出され、検出された位置に表示された表示内容がユーザの操作入力内容として携帯端末装置ＴＡに入力される。
【００４５】
ＴＡＩＦ部４７は、ＴＡ制御処理部４１に接続され、ＴＡ制御処理部４１の制御に従って、外部機器との間でデータの入出力を行う回路であり、例えば、Ｂｌｕｅｔｏｏｔｈ（登録商標）規格を用いたインターフェース回路、ＩｒＤＡ（Ｉｎｆｒａｒｅｄ  Ｄａｔａ  Ａｓｓｃｏｉａｔｉｏｎ）規格等の赤外線通信を行うインターフェース回路、および、ＵＳＢ（Ｕｎｉｖｅｒｓａｌ  Ｓｅｒｉａｌ  Ｂｕｓ）規格を用いたインターフェース回路等である。
【００４６】
ＴＡ通信ＩＦ部４３は、ＳＶ通信ＩＦ部１３と同様に、ＴＡ制御処理部４１に接続され、ＴＡ制御処理部４１の制御に従って通信を行うための回路である。ＴＡ通信ＩＦ部４３は、ＴＡ制御処理部４１から入力された転送すべきデータを収容した通信信号を、この被監視者監視システムＭＳのネットワークＮＷで用いられる通信プロトコルに従って生成し、この生成した通信信号をネットワークＮＷを介して他の装置ＳＵ、ＳＶ、ＳＰへ送信する。ＴＡ通信ＩＦ部４３は、ネットワークＮＷを介して他の装置ＳＵ、ＳＶ、ＳＰから通信信号を受信し、この受信した通信信号からデータを取り出し、この取り出したデータをＴＡ制御処理部４１が処理可能な形式のデータに変換してＴＡ制御処理部４１へ出力する。
【００４７】
ＴＡ記憶部４２は、ＳＶ記憶部１２と同様に、ＴＡ制御処理部４１に接続され、ＴＡ制御処理部４１の制御に従って、各種の所定のプログラムおよび各種の所定のデータを記憶する回路である。前記各種の所定のプログラムには、例えば、管理サーバ装置ＳＶの通信アドレス（例えばＩＰアドレス等）、被監視者Ｏｂに対する監視に関する前記監視情報を処理する監視処理プログラム等の制御処理プログラムが含まれる。前記各種の所定のデータでは、被監視者Ｏｂに対する監視に関する前記監視情報等の各データが含まれる。ＴＡ記憶部４２は、例えばＲＯＭやＥＥＰＲＯＭ等を備える。ＴＡ記憶部４２は、前記所定のプログラムの実行中に生じるデータ等を記憶するいわゆるＴＡ制御処理部４１のワーキングメモリとなるＲＡＭ等を含む。ＴＡ記憶部４２は、機能的に、端末監視情報記憶部（ＴＡ監視情報記憶部）４２１および端末設定情報記憶部（ＴＡセンサ情報記憶）４２２を備えている。
【００４８】
ＴＡ監視情報記憶部４２１は、被監視者Ｏｂに対する監視に関する前記監視情報を記憶するものである。ＴＡ監視情報記憶部４２１は、ＳＶ監視情報記憶部１２１と同様に、復旧フィールド１２１７を除き、図３を用いて上述したＳＶ監視情報テーブルＭＴ−ＳＶと同様の構成を持つ端末監視情報テーブル（ＴＡ監視情報テーブル）ＭＴ−ＴＡに前記監視情報を登録することで、前記監視情報を記憶する。なお、図３では、ＴＡ監視情報テーブルＭＴ−ＴＡの各構成の符号は、ＳＶ監視情報テーブルＭＴ−ＳＶの各構成の符号において、括弧書きで示されている。すなわち、ＴＡ監視情報テーブルＭＴ−ＴＡは、センサＩＤフィールド４２１１と、判定結果フィールド４２１２と、判定時刻フィールド４２１３と、静止画フィールド４２１４と、動画フィールド４２１５と、状況確認中フィールド４２１６とを備え、センサＩＤごとにレコードを備える。
【００４９】
ＴＡセンサ情報記憶部４２２は、センサ装置ＳＵに関する前記センサ情報を記憶するものである。ＴＡセンサ情報記憶部４２２は、図６を用いて上述したＳＶセンサ情報テーブルＰＴ−ＳＶと同様の構成を持つ端末センサ情報テーブル（ＴＡセンサ情報テーブル）ＰＴ−ＴＡに前記センサ情報を登録することで、前記センサ情報を記憶する。なお、図６では、ＴＡセンサ情報テーブルＰＴ−ＴＡの各構成の符号は、ＳＶセンサ情報テーブルＰＴ−ＳＶの各構成の符号において、括弧書きで示されている。なお、ＳＶセンサ情報テーブルＰＴ−ＴＡは、ＴＡ監視情報テーブルＭＴ−ＴＡに組み込まれても良い。この場合では、ＴＡ監視情報テーブルＭＴ−ＴＡは、配設場所フィールド４２２２および被監視者フィールド４２２３をさらに備えて構成される。
【００５０】
ＴＡ制御処理部４１は、携帯端末装置ＴＡの各部を当該各部の機能に応じてそれぞれ制御し、被監視者Ｏｂに対する監視に関する監視情報を処理するための回路である。ＴＡ制御処理部４１は、ＳＶ制御処理部１１と同様に、例えば、ＣＰＵおよびその周辺回路を備えて構成される。ＴＡ制御処理部４１は、制御処理プログラムが実行されることによって、端末制御部（ＴＡ制御部）４１１および端末監視処理部（ＴＡ監視処理部）４１２を機能的に備える。
【００５１】
ＴＡ制御部４１１は、携帯端末装置ＴＡの各部を当該各部の機能に応じてそれぞれ制御し、携帯端末装置ＴＡの全体制御を司るものである。
【００５２】
ＴＡ監視処理部４１２は、被監視者Ｏｂに対する監視に関する前記監視情報を処理するものである。より具体的には、ＴＡ監視処理部４１２は、前記監視情報通信信号をＴＡ通信ＩＦ部４３で受信した場合に、この受信した監視情報通信信号に収容された被監視者Ｏｂの前記監視情報および前記センサ情報をＴＡ監視情報テーブルＭＴ−ＴＡおよびＴＡセンサ情報テーブルＰＴ−ＴＡに登録することで前記監視情報および前記センサ情報をＴＡ監視情報記憶部４２１およびＴＡセンサ情報記憶部４２２に記憶する。ＴＡ監視処理部４１２は、前記監視情報の表示に関する動作を処理し、例えば、前記監視情報通信信号をＴＡ通信ＩＦ部４３で受信した場合に、この受信した監視情報通信信号に収容された被監視者Ｏｂの前記監視情報を表示する監視情報画面６２をＴＡ表示部４６に表示する。ＴＡ監視処理部４１２は、前記受付禁止指令信号および前記対応中表示指令通信信号として機能する前記第２受付通知信号をＴＡ通信ＩＦ部４３で受信した場合に、この受信した前記第２受付通知信号で指定された前記所定の操作を受け付けることを禁止し、そして、この受信した前記第２受付通知信号で示された携帯端末装置ＴＡで対応中である旨のメッセージをＴＡ表示部４６に表示する。
【００５３】
このような携帯端末装置ＴＡは、例えば、いわゆるタブレット型コンピュータやスマートフォンや携帯電話機等の、持ち運び可能な通信端末装置によって構成可能である。
【００５４】
次に、本実施形態の動作について説明する。このような構成の被監視者監視システムＭＳでは、各装置ＳＵ、ＳＶ、ＳＰ、ＴＡは、電源が投入されると、必要な各部の初期化を実行し、その稼働を始める。また、管理サーバ装置ＳＶでは、その制御処理プログラムの実行によって、ＳＶ制御処理部１１には、ＳＶ制御部１１１、ＳＶ監視処理部１１２および連携処理部１１３が機能的に構成され、携帯端末装置ＴＡでは、その制御処理プログラムの実行によって、ＴＡ制御処理部４１には、ＴＡ制御部４１１およびＴＡ監視処理部４１２が機能的に構成される。
【００５５】
そして、上記構成の被監視者監視システムＭＳは、大略、次の動作によって、各被監視者Ｏｂそれぞれを監視している。センサ装置ＳＵは、所定のサンプリング周期で前記体動センサの出力および前記画像センサの出力をサンプリングし、このサンプリングした前記体動センサの出力および前記画像センサの出力に基づいて被監視者Ｏｂの状態（状況）を判定し、この判定の結果、被監視者Ｏｂが予め設定された状態（例えば、本実施形態では、起床、離床、転倒転落および微体動異常等）であると判定すると、自機のセンサＩＤ、被監視者Ｏｂの状態として判定された判定結果を表す判定結果情報、その判定時刻を表す判定時刻情報、および、その判定の際に用いられた被監視者Ｏｂの静止画（複数の画像を用いて判定した場合にはそのうちの１つ（例えば最終の画像））の画像データ等を収容した通信信号（監視情報通信信号）をネットワークＮＷを介して管理サーバ装置ＳＶへ送信する。センサ装置ＳＵは、公知技術によって被監視者Ｏｂの状態（状況）を判定できる。例えば、センサ装置ＳＵは、前記体動センサによって被監視者Ｏｂの呼吸動作に伴う胸部の体動（胸部の上下動）を検出し、その胸部の体動における周期の乱れや予め設定された閾値以下である前記胸部の体動における振幅を検知すると、前記微体動異常であると判定する。また例えば、センサ装置ＳＵは、前記画像センサによって被監視者Ｏｂの画像を取得し、この取得した画像から被監視者Ｏｂの人物領域を検出し、この検出した人物領域の縦横比から被監視者Ｏｂの姿勢（例えば立位、座位および横臥等）を判定し、この検出した人物領域の位置を検出し、これら判定、検出した被監視者Ｏｂの姿勢および位置に基づいて前記起床、離床および転倒転落の別を判定する。
【００５６】
管理サーバ装置ＳＶは、前記監視情報通信信号をネットワークＮＷを介してセンサ装置ＳＵから受信すると、ＳＶ監視処理部１１２によって、この監視情報通信信号に収容されたセンサＩＤ、判定結果情報、判定時刻情報、静止画の画像データおよび動画を得るための通信アドレスを、ＳＶ監視情報テーブルＭＴ−ＳＶに登録することで、これらを互いに対応付けてＳＶ監視情報記憶部１２１に記憶（記録）する。前記動画を得るための通信アドレスは、前記監視情報通信信号のヘッダに収容される送信元の通信アドレスとして取得できるが、センサ装置（センサＩＤ）と前記センサ装置ＳＵの通信アドレスとの対応関係を示すテーブルがＳＶ監視情報テーブルＭＴ−ＳＶとは別途に用意されてＳＶ記憶部１２に予め記憶されている場合には、この処理を省略できる。なお、ＳＶ監視情報テーブルＭＴ−ＳＶに前記各情報を登録する際に、ＳＶ監視処理部１１２は、ＳＶ監視処理部１１２によって、その状況確認中フィールド１２１６および復旧フィールド１２１７それぞれにはデフォルトのフラグ「０」を登録する。そして、管理サーバ装置ＳＶは、ＳＶ監視処理部１１２によって、前記監視情報通信信号に収容されたセンサＩＤをセンサＩＤフィールド５３１に登録するレコードをＳＶセンサ情報テーブルＰＴ−ＳＶから検索し、この検索したレコードの被監視者フィールド５３３に登録されている被監視者Ｏｂの名前を取得し、この取得した被監視者Ｏｂの名前を被監視者フィールド５４１に登録しているレコードを被監視者情報テーブルＤＴから検索し、この検索したレコードの第１送信先フィールド５４２に登録されているグループＩＤを取得し、この取得したグループＩＤをグループフィールド５１１に登録しているレコードをグループ情報テーブルＧＴから検索し、この検索したレコードの監視者フィールド５１２に登録されている監視者の名前を取得し、この取得した監視者の名前を監視者フィールド５２１に登録しているレコードを端末情報テーブルＴＴから検索し、この検索したレコードの端末ＩＤフィールドに登録されている端末ＩＤを取得する。そして、この取得した端末ＩＤを持つ携帯端末装置ＴＡへ、センサＩＤ、判定結果情報、判定時刻情報および被監視者Ｏｂの静止画を収容し、さらに、前記センサＩＤを持つセンサ装置ＳＵの配設場所および前記センサ装置ＳＵでセンシングしている被監視者Ｏｂの名前を収容した前記監視情報通信信号を送信する。これによって被監視者Ｏｂの状態（状況）が固定端末装置ＳＰや前記被監視者Ｏｂを担当する監視者の持つ携帯端末装置ＴＡに報知される。
【００５７】
固定端末装置ＳＰおよび携帯端末装置ＴＡは、前記監視情報通信信号をネットワークＮＷを介して管理サーバ装置ＳＶから受信すると、この監視情報通信信号に収容された被監視者Ｏｂの監視に関する前記監視情報を表示する。携帯端末装置ＴＡによるこの監視情報を表示する動作については、以下で詳述する。このような動作によって、被監視者監視システムＭＳは、各センサ装置ＳＵ、管理サーバ装置ＳＶ、固定端末装置ＳＰおよび携帯端末装置ＴＡによって、大略、各被監視者Ｏｂを検知して各被監視者Ｏｂを監視している。
【００５８】
次に、被監視者監視システムＭＳにおける、被監視者Ｏｂの監視に関する前記監視情報を表示する動作およびそれに関連する動作について、説明する。なお、以下の説明では、説明の便宜上、携帯端末装置ＴＡの例で説明するが、同様の動作を固定端末装置ＳＰが行っても良い。これによって固定端末装置ＳＰと携帯端末装置ＴＡとの間でも連携できる。
【００５９】
図９は、前記携帯端末装置における、監視情報の通知に関する動作を示すフローチャートである。図１０は、前記携帯端末装置に表示される待受け画面の一例を示す図である。図１１は、被監視者の起床の通知を受けた、前記携帯端末装置に表示される監視情報画面の一例を示す図である。
【００６０】
図９において、携帯端末装置ＴＡは、電源が投入されて起動し、例えば看護師や介護士等の監視者（ユーザ）によるログイン操作を受け付けると、ＴＡ監視処理部４１２によって、自機宛の通信信号を待ち受ける待受け画面をＴＡ表示部４６に表示する（Ｓ１１）。この待受け画面６１は、例えば、図１０に示すように、メニューバーを表示するメニューバー領域６１１と、待ち受け中であることを表すメッセージ（例えば「通知はありません」）およびアイコンを表示する待受けメイン領域６１２と、現在時刻を表示する時刻領域６１３と、今日の年月日曜日を表示する年月日曜日領域６１４と、今、当該携帯端末装置ＴＡにログインしているユーザ名を表示するユーザ名領域６１５とを備える。
【００６１】
次に、携帯端末装置ＴＡは、ＴＡ制御部４１１によって、ＴＡ通信ＩＦ部４３で通信信号を受信したか否かを判定する（Ｓ１２）。この判定の結果、通信信号を受信していない場合（Ｎｏ）には、携帯端末装置ＴＡは、処理をＳ１１に戻し、前記判定の結果、通信信号を受信している場合（Ｙｅｓ）には、携帯端末装置ＴＡは、次の処理Ｓ１３を実行する。
【００６２】
この処理Ｓ１３では、通信信号を受信すると、携帯端末装置ＴＡは、ＴＡ監視処理部４１２によって、この受信した通信信号が監視情報通信信号であるか否かを判定する。この判定の結果、前記受信した通信信号が監視情報通信信号ではない場合（Ｎｏ）には、携帯端末装置ＴＡは、ＴＡ制御処理部４１によって、前記受信した通信信号に応じた適宜な処理を実行し（Ｓ２１）、処理を処理Ｓ１２に戻す。なお、前記受信した通信信号に応じた適宜な処理は、一例として、図１３を用いて後述する。一方、前記判定の結果、前記受信した通信信号が監視情報通信信号である場合（Ｙｅｓ）には、携帯端末装置ＴＡは、ＴＡ監視処理部４１２によって、前記受信した監視情報通信信号に収容されているセンサＩＤ、判定結果情報、判定時刻情報、静止画の画像データ、配設場所および被監視者Ｏｂの名前それぞれを、ＴＡ監視情報テーブルＭＴ−ＴＡおよびＴＡセンサ情報テーブルＰＴ−ＴＡに登録することで、これらを互いに対応付けてＴＡ監視情報記憶部４２１およびＴＡセンサ情報記憶部４２２に一時的に記憶し（Ｓ１４）、処理Ｓ１５を実行する。なお、ＴＡ監視情報テーブルＭＴ−ＴＡに前記各情報を登録する際に、ＴＡ監視処理部４１２は、その状況確認中フィールド４２１６にはデフォルトのフラグ「０」を登録する。
【００６３】
処理Ｓ１５では、携帯端末装置ＴＡは、ＴＡ監視処理部４１２によって、前記受信した監視情報通信信号に収容されているセンサＩＤと同じセンサＩＤを収容した監視情報通信信号を、前記受信した監視情報通信信号より前に（過去に）既に受信し、この既に受信した監視情報通信信号の監視情報画面が表示のために作成されている否かを判定する。より具体的には、ＴＡ監視処理部４１２は、前記受信した監視情報通信信号に収容されているセンサＩＤと同じセンサＩＤが、センサＩＤフィールド４２１１に登録されているか否かを判定することによって、前記既に受信し、この既に受信した監視情報通信信号の監視情報画面が表示のために作成されている否かを判定する。この判定の結果、前記受信した監視情報通信信号に収容されているセンサＩＤと同じセンサＩＤが、センサＩＤフィールド４２１１に登録されていない場合、同じセンサＩＤの監視情報通信信号を既に受信していないと判定し（Ｎｏ）、携帯端末装置ＴＡは、処理Ｓ１６を実行し、一方、前記判定の結果、前記受信した監視情報通信信号に収容されているセンサＩＤと同じセンサＩＤが、復旧フィールド４２１７にフラグ「０」を登録するレコードのセンサＩＤフィールド４２１１に登録されている場合、同じセンサＩＤの監視情報通信信号を既に受信していると判定し（Ｙｅｓ）、携帯端末装置ＴＡは、処理Ｓ１７を実行する。
【００６４】
この処理Ｓ１６では、携帯端末装置ＴＡは、ＴＡ監視処理部４１２によって、前記受信した監視情報通信信号に収容されている各情報（各データ）に従った監視情報画面を新たにＴＡ記憶部４２に形成し、この形成した監視情報画面をＴＡ表示部４６に表示する。
【００６５】
この監視情報画面は、被監視者Ｏｂの監視に関する前記監視情報を表示するための画面である。前記監視情報画面６２（６２ａ）は、例えば、図１１に示すように、メニューバー領域６１１と、センサＩＤのセンサ装置ＳＵの配設場所および前記センサＩＤの前記センサ装置ＳＵによって監視される被監視者Ｏｂの名前を表示する被監視者名領域６２１と、判定時刻（または受信時刻）からの経過時間および判定結果を象徴的に表すアイコンを表示するアイコン領域６２２と、前記センサＩＤの前記センサ装置ＳＵによって撮像された画像（ここでは静止画）を表示する画像領域６２３と、「復旧」ボタン６２４と、「ＬＩＶＥを見る」ボタン６２５とを備える。「復旧」ボタン６２４は、前記センサＩＤの前記センサ装置ＳＵによって監視される被監視者Ｏｂに対する例えば介護等の前記対応を実際に実行した事実または実行する意思（前記対応の事実等）が当該携帯端末装置ＴＡのユーザにあることを当該携帯端末装置ＴＡに入力し、前記対応の事実等が入力されたことを固定端末装置ＳＰおよび同じ第１グループに属する他の携帯端末装置ＴＡに報知させる指示を、当該携帯端末装置に入力するためのボタンである。「ＬＩＶＥを見る」ボタン６２５は、前記センサＩＤの前記センサ装置ＳＵによって撮像される動画を表示させる指示を入力するためのボタンである。
【００６６】
前記受信した監視情報通信信号に収容されている各情報に従った監視情報画面６２ａを作成するために、ＴＡ監視処理部４１２は、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。なお、各判定結果に対応する各アイコンは、各判定結果に対応付けられてＴＡ記憶部４２に予め記憶される。そして、ＴＡ監視処理部４１２は、メニューバーをメニューバー領域６１１に表示し、前記受信した監視情報通信信号に収容されている配設場所および被監視者Ｏｂの名前を被監視者名領域６２１に表示し、前記求めた経過時間および前記検索したアイコンをアイコン領域６２２に表示し、前記受信した監視情報通信信号に収容されている画像（静止画）を画像領域６２３に表示し、「復旧」ボタン６２４および「ＬＩＶＥを見る」ボタン６２５を表示することで監視情報画面６２ａを作成する。そして、ＴＡ監視処理部４１２は、この新たに作成した監視情報画面６２ａをＴＡ表示部４６に表示する。
【００６７】
図９に戻って、処理Ｓ１７では、携帯端末装置ＴＡは、ＴＡ監視処理部４１２によって、前記受信した監視情報通信信号に収容されている各情報（各データ）に従って監視情報画面６２ａを更新し、この更新した監視情報画面をＴＡ表示部４６に表示する。
【００６８】
前記受信した監視情報通信信号に収容されている各情報に従って監視情報画面６２を更新するために、ＴＡ監視処理部４１２は、前記受信した監視情報通信信号に収容されている判定時刻からの経過時間を求め、前記受信した監視情報通信信号に収容されている判定結果に対応するアイコンをＴＡ記憶部４２から前記判定結果を検索キーとして検索する。そして、ＴＡ監視処理部４１２は、既に表示されている監視情報画面６２に対し、前記求めた経過時間および前記検索したアイコンをアイコン領域６２２に表示し、前記受信した監視情報通信信号に収容されている画像（静止画）を画像領域６２３に表示することで監視情報画面６２を更新する。ここで、アイコン領域６２２には、既に受信していた監視情報通信信号に収容された判定結果に応じてアイコンが表示されているので、今般の前記検索したアイコンは、この既に表示されているアイコンに対して時系列に並べられてアイコン領域６２２に表示される。例えば、被監視者Ｏｂの判定結果「起床」が報知された後に、その判定結果「離床」が報知された場合、被監視者Ｏｂの判定結果「起床」を表すアイコンがアイコン領域６２２に表示されている監視情報画面６２ａは、被監視者Ｏｂの判定結果「離床」を表すアイコンが前記判定結果「起床」を表すアイコンに対する紙面左隣に並べてアイコン領域６２２に表示されて更新される。そして、ＴＡ監視処理部４１２は、この更新した監視情報画面６２をＴＡ表示部４６に表示する。
【００６９】
処理Ｓ１６の次に、または、処理Ｓ１７の次に、携帯端末装置ＴＡは、ＴＡ制御処理部４１によって、ＴＡ入力部４５およびＴＡ表示部４６を備えて成るタッチパネルで入力操作を受け付けたか否かを判定する（Ｓ１８）。この判定の結果、入力操作を受け付けていない場合（Ｎｏ）には、携帯端末装置ＴＡは、処理を処理Ｓ１８に戻し、一方、前記判定の結果、入力操作を受け付けている場合には、携帯端末装置ＴＡは、次の処理Ｓ１９を実行する。
【００７０】
この処理Ｓ１９では、携帯端末装置ＴＡは、ＴＡ制御処理部４１によって、入力操作の内容に応じた適宜な処理を実行し、この前記監視情報の表示動作を終了する。
【００７１】
例えば、携帯端末装置ＴＡは、ＴＡ制御処理部４１によって、「復旧」ボタン６２４の入力操作を受け付けると、現在、ＴＡ表示部４６に表示している被監視者Ｏｂに対する例えば介護等の前記対応を実際に実行した事実または実行する意思（前記対応の事実等）が当該携帯端末装置ＴＡのユーザ（監視者）にあることを通知するための通信信号（復旧通知信号（対応通知信号））を管理サーバ装置ＳＶへＴＡ通信ＩＦ部４３で送信する。復旧通知信号には、ＴＡ表示部４６に表示している被監視者Ｏｂに対する前記対応の事実等が当該携帯端末装置ＴＡのユーザ（監視者）にある旨、および、当該携帯端末装置ＴＡの端末ＩＤ等が収容される。
【００７２】
また例えば、携帯端末ユニットＴＡは、ＴＡ制御処理部４１によって、「ＬＩＶＥを見る」ボタン６２５の入力操作を受け付けると、現在、ＴＡ表示部４６に表示している被監視者Ｏｂの動画を要求するための通信信号（動画要求通信信号）を管理サーバ装置ＳＶへＴＡ通信ＩＦ部４３で送信する。動画要求通信信号には、動画を要求する旨、前記動画を要求する携帯端末装置ＴＡの端末ＩＤ、および、前記動画を生成するセンサ装置ＳＵのセンサＩＤ等が収容される。この動画要求通信信号は、本実施形態では、携帯端末装置ＴＡでセンサ装置ＳＵに対する所定の操作（ここでは、センサ装置ＳＵの前記撮像部で生成された被監視者Ｏｂの動画を要求するための動画要求操作）を受け付けた旨を管理サーバ装置ＳＶへ通知するための第１受付通知信号（ここでは、動画操作受付通知信号）として機能する。
【００７３】
なお、センサ装置ＳＵは、固定端末装置ＳＰや携帯端末装置ＴＡ等に対してナースコールを通知するナースコール回路、および、固定端末装置ＳＰや携帯端末装置ＴＡ等との間で音声通話を行う通話回路をさらに備え、ナースコール可能におよび音声通話可能に構成されても良い。この場合に、監視情報画面６２ａは、さらに、前記センサＩＤの前記センサ装置ＳＵと当該携帯端末装置ＴＡとをネットワークＮＷを介して通話可能に接続する指示を入力するためのボタンである「話す」ボタン６２５を備えても良い。この「話す」ボタンの入力操作を受け付けると、現在、ＴＡ表示部４６に表示している被監視者Ｏｂをセンシングしているセンサ装置ＳＵとネットワークＮＷを介して通話を要求するための通信信号（通話要求通信信号）を管理サーバ装置ＳＶへＴＡ通信ＩＦ部４３で送信する。通話要求通信信号を受信すると、管理サーバ装置ＳＶは、携帯端末装置ＴＡとセンサ装置ＳＵとをネットワークＮＷを介して通話可能に接続する。そして、この通話要求通信信号が、携帯端末装置ＴＡでセンサ装置ＳＵに対する所定の操作（ここでは、センサ装置ＳＵの前記通話回路を用いた音声通話を要求するための通話要求操作）を受け付けた旨を管理サーバ装置ＳＶへ通知するための第１受付通知信号（ここでは、通話操作受付通知信号）として機能してもよい。
【００７４】
次に、上述のように、携帯端末装置ＴＡから管理サーバ装置ＳＶへ送信される動画要求通信信号（動画操作受付通知信号）および復旧通知信号等を受信した場合における管理サーバ装置ＳＶの動作について説明する。図１２は、前記監視サーバ装置における、携帯端末装置間の連携に関する動作を示すフローチャートである。
【００７５】
図１２において、管理サーバ装置ＳＶは、通信信号をＳＶ通信ＩＦ部１３で受信すると（Ｓ３１）、ＳＶ監視処理部１１２によって、この受信した通信信号の種別を判定する（Ｓ３２）。この判定の結果、管理サーバ装置ＳＶは、前記受信した通信信号が動画要求通信信号である場合には処理Ｓ３３を実行し、前記受信した通信信号が復旧通知信号である場合には処理Ｓ３５を実行し、そして、前記受信した通信信号が前記動画要求通信信号および復旧通知信号のいずれでもない場合（その他）には処理Ｓ３６を実行する。
【００７６】
この処理Ｓ３３では、まず、管理サーバ装置ＳＶは、いずれの被監視者Ｏｂに対しいずれの監視者が動画で状況確認中であるかということをＳＶ監視情報記憶部１２１に記憶するために、ＳＶ監視処理部１１２によって、被監視者Ｏｂの状況を確認している携帯端末装置ＴＡ（誰が）を示す情報、および、被監視者Ｏｂの状況の確認に用いられているセンサ装置ＳＵ（誰を）を示す情報それぞれとして、処理Ｓ３１で受信した前記動画要求通信信号に収容されている端末ＩＤおよびセンサＩＤを取り出す。そして、管理サーバ装置ＳＶは、ＳＶ監視処理部１１２によって、この取り出したセンサＩＤをセンサＩＤフィールド１２１１に登録し、かつ、状況確認中フィールド１２１６および復旧フィールド１２１７それぞれにフラグ「０」を登録しているレコードを検索し、この検索したレコードにおける状況確認中フィールド１２１６に、前記取り出した端末ＩＤを登録して更新する。これによって、前記端末ＩＤを持つ携帯端末装置ＴＡのユーザ（監視者）が前記センサＩＤを持つセンサ装置ＳＵによって検知されている被監視者Ｏｂに対し動画でその状況を確認している事態が、ＳＶ監視情報テーブルＭＴ−ＳＶに登録され、前記事態が、ＳＶ監視情報記憶部１２１に記憶される。そして、管理サーバ装置ＳＶは、ライブ動画の取得先として、処理Ｓ３１で受信した前記動画要求通信信号に収容されているセンサＩＤを持つセンサ装置ＳＵの通信アドレス（例えばＩＰアドレス等）を収容した通信信号（動画接続情報通信信号）を、前記動画要求通信信号の送信元の携帯端末装置ＴＡへＳＶ通信ＩＦ部１３で返信する。より具体的には、管理サーバ装置ＳＶは、ＳＶ監視処理部１１２によって、処理Ｓ３１で受信した前記動画要求通信信号に収容されているセンサＩＤをセンサＩＤフィールド１２１１に登録し、かつ、復旧フィールド１２１７にフラグ「０」を登録しているレコードを検索し、この検索したレコードにおける動画フィールド１２１５に登録されている通信アドレスを取得し、この取得した通信アドレスおよびセンサＩＤを収容した動画接続情報通信信号を前記動画要求通信信号の送信元の携帯端末装置ＴＡへＳＶ通信ＩＦ部１３で返信する。
【００７７】
次に、管理サーバ装置ＳＶは、前記事態を固定端末装置ＳＰおよび携帯端末装置ＴＡに報知して他の携帯端末装置ＴＡが二重に前記被監視者Ｏｂの状況を動画で確認することを回避するために、連携処理部１１３によって、前記端末ＩＤを持つ携帯端末装置（第１携帯端末装置）ＴＡの属する第１グループに属する前記第１携帯端末装置ＴＡを除く残余の携帯端末装置（第２携帯端末装置）ＴＡへ、前記第１携帯端末装置ＴＡで前記所定の操作（ここでは動画要求操作）を受け付けた旨を前記残余の第２携帯端末装置ＴＡへ通知するための第２受付通知信号（ここでは動画受付通知信号）をＳＶ通信ＩＦ部１３で送信し（Ｓ３４）、動画通知信号の受信に伴う動作を終了する。この第２受付通知信号（ここでは動画受付通知信号）は、上述したように、前記受付禁止指令信号（ここでは、前記第２携帯端末装置ＴＡで前記動画要求操作を受け付けることを禁止する指令を通知するための動画受付禁止指令信号）として機能するとともに、前記対応中表示指令通信信号として機能する。より具体的には、管理サーバ装置ＳＶは、連携処理部１１３によって、処理Ｓ３１で受信した前記動画要求通信信号に収容されている端末ＩＤを端末ＩＤフィールド５２２に登録しているレコードを端末情報テーブルＴＴから検索し、この検索したレコードの監視者フィールド５２１に登録されている監視者の名前を取得し、この取得した監視者の名前を監視者フィールド５１２に登録しているレコードをグループ情報テーブルＧＴから検索し、この検索したレコードの監視者フィールド５１２に登録されている他の監視者の名前を取得し、この取得した他の監視者の名前を監視者フィールド５２１に登録しているレコードを端末情報テーブルＴＴから検索し、この検索したレコードの端末ＩＤフィールド５２２に登録されている端末ＩＤを取得し、この端末ＩＤを持つ携帯端末装置ＴＡへ、処理Ｓ３１で受信した前記動画要求通信信号に収容されている端末ＩＤおよびセンサＩＤ、前記センサＩＤに対応する監視情報画面６２で前記動画要求操作を受け付けることを禁止する指令、ならびに、前記センサＩＤに対応する監視情報画面に、前記取得した名前の監視者が対応中である旨のメッセージを表示させる指令を収容した動画受付通知信号をＳＶ通信ＩＦ部１３で送信する。
【００７８】
前記処理Ｓ３５では、まず、管理サーバ装置ＳＶは、いずれの被監視者Ｏｂに対しいずれの監視者が前記対応の事実等を示したかということをＳＶ監視情報記憶部１２１に記憶するために、ＳＶ監視処理部１１２によって、被監視者Ｏｂの前記対応の事実等を受け付けた携帯端末装置ＴＡの監視者（誰が）を示す情報、および、前記監視者によって前記対応の事実等が行われる、センサ装置ＳＵによって検知されている被監視者Ｏｂ（誰を）を示す情報それぞれとして、処理Ｓ３１で受信した前記復旧通知信号に収容されている端末ＩＤおよびセンサＩＤを取り出す。次に、管理サーバ装置ＳＶは、ＳＶ監視処理部１１２によって、この取り出したセンサＩＤをセンサＩＤフィールド１２１１に登録し、かつ、復旧フィールド１２１７にフラグ「０」を登録しているレコードを検索し、この検索したレコードにおける復旧フィールド１２１７にフラグ「１」を登録して更新する。これによって、前記端末ＩＤを持つ携帯端末装置ＴＡのユーザ（監視者）が前記センサＩＤを持つセンサ装置ＳＵによって検知されている被監視者Ｏｂに対し前記対応の事実等が示された事態が、ＳＶ監視情報テーブルＭＴ−ＳＶに登録され、前記事態が、ＳＶ監視情報記憶部１２１に記憶される。そして、管理サーバ装置ＳＶは、この事態を固定端末装置ＳＰおよび携帯端末装置ＴＡに報知して他の携帯端末装置ＴＡが二重に前記被監視者Ｏｂに対し前記対応の事実等を示すことを回避するために、連携処理部１１３によって、前記復旧通知信号に収容された端末ＩＤを持つ携帯端末装置（第１携帯端末装置）ＴＡの属する第１グループに属する前記第１携帯端末装置ＴＡを除く残余の携帯端末装置（第２携帯端末装置）ＴＡへ、被監視者Ｏｂの実際の前記対応が不要になった旨を通知するための復旧情報通信信号をＳＶ通信ＩＦ１３で送信する。この復旧情報通信信号には、被監視者Ｏｂの実際の前記対応が不要になった旨を表す情報（復旧情報）が収容され、前記対応の不要となった対象である、センサ装置ＳＵによって検知されている被監視者Ｏｂ（誰の）を示す情報として、前記復旧通知信号から取り出したセンサＩＤが収容される。より具体的には、管理サーバ装置ＳＶは、連携処理部１１３によって、処理Ｓ３１で受信した前記復旧通知信号に収容されている端末ＩＤを端末ＩＤフィールド５２２に登録しているレコードを端末情報テーブルＴＴから検索し、この検索したレコードの監視者フィールド５２１に登録されている監視者の名前を取得し、この取得した監視者の名前を監視者フィールド５１２に登録しているレコードをグループ情報テーブルＧＴから検索し、この検索したレコードの監視者フィールド５１２に登録されている他の監視者の名前を取得し、この取得した他の監視者の名前を監視者フィールド５２１に登録しているレコードを端末情報テーブルＴＴから検索し、この検索したレコードの端末ＩＤフィールド５２２に登録されている端末ＩＤを取得し、この端末ＩＤを持つ携帯端末装置（すなわち前記第２携帯端末装置）ＴＡへ、処理Ｓ３１で受信した前記復旧通知信号に収容されているセンサＩＤ、および、前記センサＩＤを持つセンサ装置ＳＵで検知されている被監視者Ｏｂの実際の前記対応が不要になった旨を収容した復旧情報通信信号をＳＶ通信ＩＦ部１３で送信する。
【００７９】
前記処理Ｓ３６では、管理サーバ装置ＳＶは、ＳＶ監視処理部１１２によって、前記受信した通信信号に応じた適宜な処理を実行し、これら各通信信号の受信に伴う動作を終了する。
【００８０】
次に、上述のように、管理サーバ装置ＳＶから送信される動画接続情報通信信号、動画受付通知信号（動画受付禁止指令信号、対応中表示指令通信信号）および復旧通知信号（対応通知信号）等を受信した場合における携帯端末装置ＴＡの動作について説明する。この動作は、図５を用いて説明した処理Ｓ２１における処理の１つとして実行される。図１３は、前記携帯端末装置における、携帯端末装置間の連携に関する動作を示すフローチャートである。
【００８１】
図１３において、携帯端末装置ＴＡは、ＴＡ監視処理部４１２によって、この受信した通信信号の種別を判定する（Ｓ４１）。この判定の結果、携帯端末装置ＴＡは、前記受信した通信信号が動画接続情報通信信号である場合には処理Ｓ４２を実行し、前記受信した通信信号が動画受付通知信号（動画受付禁止指令信号、対応中表示指令通信信号）である場合には処理Ｓ４３を実行し、前記受信した通信信号が復旧情報通信信号である場合には処理Ｓ４５を実行し、そして、前記受信した通信信号が動画接続情報通信信号、動画受付通知信号および復旧情報通信信号のいずれでもない場合（その他）には処理Ｓ４６を実行する。
【００８２】
この処理Ｓ４２では、携帯端末装置ＴＡは、ＴＡ監視処理部４１２によって、処理Ｓ１２で受信した動画接続情報通信信号に収容されているセンサ装置ＳＵの通信アドレスを取り出し、この取り出した前記センサ装置ＳＵの通信アドレスでセンサ装置ＳＵとネットワークＮＷを介して接続し、前記センサ装置ＳＵから動画をダウンロードし、例えばストリーミング再生によって、監視情報画面６２ａの画像領域６２３に、被監視者Ｏｂの動画を表示する。そして、携帯端末装置ＴＡは、ＴＡ監視処理部４１２によって、この受信した動画接続情報通信信号に収容されたセンサＩＤをセンサＩＤフィールド４２１１に登録しているレコードをＴＡ監視情報テーブルＭＴ−ＴＡから検索し、この検索したレコードの状況確認中フィールド４２１６にフラグ「１」を登録し、この動画接続情報通信信号の受信に伴う動作を終了する。
【００８３】
前記処理Ｓ４３では、携帯端末装置ＴＡは、いずれの被監視者Ｏｂに対しいずれの監視者が状況確認中であるかということをＴＡ監視情報記憶部４２１に記憶するために、ＴＡ監視処理部４１２によって、被監視者Ｏｂの状況を確認している携帯端末装置ＴＡ（誰が）を示す情報、および、被監視者Ｏｂの状況の確認に用いられているセンサ装置ＳＵ（誰を）を示す情報それぞれとして、処理Ｓ１２で受信した前記動画受付通知信号に収容されている端末ＩＤおよびセンサＩＤを取り出す。そして、携帯端末装置ＴＡは、ＴＡ監視処理部４１２によって、この取り出したセンサＩＤをセンサＩＤフィールド４２１１に登録しているレコードを検索し、この検索したレコードにおける状況確認中フィールド４２１６に、前記取り出した端末ＩＤを登録して更新する。これによって、前記端末ＩＤを持つ携帯端末装置ＴＡのユーザ（監視者）が前記センサＩＤを持つセンサ装置ＳＵによって検知されている被監視者Ｏｂに対しその状況を確認している事態が、ＴＡ監視情報テーブルＭＴ−ＴＡに登録され、前記事態が、ＴＡ監視情報記憶部４２１に記憶される。そして、携帯端末装置ＴＡは、自機が二重に前記被監視者Ｏｂの状況を確認することを回避するために、ＴＡ監視処理部４１２によって、処理Ｓ１２で受信した前記動画受付通知信号に収容されている前記センサＩＤに対応する監視情報画面６２で前記動画要求操作を受け付けることを禁止する。より具体的には、携帯端末装置ＴＡは、ＴＡ監視処理部４１２によって、例えば、後述の図１５に示すように、前記センサＩＤに対応する監視情報画面６２ａ（６２ａ−２）で「ＬＩＶＥを見る」ボタン６２５をグレーアウトの表示に変える。これによって、ＴＡ表示部４６には、グレーアウトした「ＬＩＶＥを見る」ボタン６２７を持つ監視情報画面６２ｃが表示され、ユーザ（監視者）がこの「ＬＩＶＥを見る」ボタン６２７を入力操作しても、携帯端末装置ＴＡは、ＴＡ監視処理部４１２によって、この入力操作を受け付けず、入力操作不能にする。
【００８４】
次に、携帯端末装置ＴＡは、ＴＡ監視処理部４１２によって、他の携帯端末装置ＴＡによって被監視者Ｏｂの状況を確認中である旨を表示し（Ｓ４４）、この動画受付通知信号の受信に伴う動作を終了する。より具体的には、携帯端末装置ＴＡは、ＴＡ監視処理部４１２によって、例えば、後述の図１５に示すように、処理Ｓ１２で受信した前記動画受付通知信号に収容されている前記センサＩＤに対応する監視情報画面６２ａに、「介護士ＮＡ対応中」６２８のメッセージが表示される。これによって、ＴＡ表示部４６には、「介護士ＮＡ対応中」６２８のメッセージを持つ監視情報画面６２ｃが表示される。
【００８５】
前記処理Ｓ４５では、携帯端末装置ＴＡは、いずれの被監視者Ｏｂに対し前記対応が不要になったかということをＴＡ監視情報記憶部４２１に記憶するために、ＴＡ監視処理部４１２によって、処理Ｓ１２で受信した前記復旧情報通信信号に収容されているセンサＩＤを取り出す。次に、携帯端末装置ＴＡは、ＴＡ監視処理部４１２によって、前記取り出したセンサＩＤを持つセンサＩＤフィールド４２１１に登録しているレコードをＴＡ監視情報テーブルＭＴ−ＴＡから検索し、この検索したレコードを削除する。そして、携帯端末装置ＴＡは、ＴＡ監視処理部４１２によって、前記取り出したセンサＩＤにかかる監視情報画面６２をＴＡ記憶部４２から削除（消去）し、この復旧情報通信信号の受信に伴う動作を終了する。
【００８６】
この処理Ｓ４６では、携帯端末装置ＴＡは、ＴＡ監視処理部１１２によって、前記受信した通信信号に応じた適宜な処理を実行し、この通信信号の受信に伴う動作を終了する。
【００８７】
次に、このような携帯端末装置間の連携動作について、一具体例を挙げて説明する。図１４は、一例として、２個の携帯端末装置間の連携動作を説明するためのシーケンス図である。図１５は、一例として、２個の携帯端末装置間の連携動作における画面遷移を説明するための図である。
【００８８】
この一具体例では、図１、図１４および図１５に示すように、複数の携帯端末装置ＴＡのうちの介護士ＮＡさんが取り扱う携帯端末装置ＴＡ−１および介護士ＮＢさんが取り扱う携帯端末装置ＴＡ−２に着目してその連携動作が説明される。なお、この一具体例では、携帯端末装置ＴＡ−１、ＴＡ−２は、互いに同じグループに属し、監視情報は、センサ装置ＳＵ−２にかかる情報のみで、他に監視情報は無いものとする。携帯端末装置ＴＡ−１、ＴＡ−２の各携帯端末ＩＤは、それぞれ、ＴＡ−１、ＴＡ−２であり、被監視者Ｏｂ−２（Ｂさん）を検知しているセンサ装置ＳＵ−２のセンサＩＤは、ＳＵ−２である。
【００８９】
図１４および図１５において、介護士ＮＡさんが携帯端末装置ＴＡ−１にログインすると、携帯端末装置ＴＡ−１は、処理Ｓ１１によって待ち受け画面６１−１をＴＡ表示部４６−１に表示し、介護士ＮＢさんが携帯端末装置ＴＡ−２にログインすると、携帯端末装置ＴＡ−２は、処理Ｓ１１によって待ち受け画面６１−２をＴＡ表示部４６−２に表示する。なお、この説明において、携帯端末装置ＴＡ−１の構成等と携帯端末装置ＴＡ−２の構成等とを区別する必要がある場合には、携帯端末装置ＴＡ−１の構成等の符号には、添え字「−１」が付加され、携帯端末装置ＴＡ−２の構成等の符号には、添え字「−２」が付加される。
【００９０】
そして、被監視者Ｏｂ−２（Ｂさん）を検知しているセンサ装置ＳＵ−２が上述の動作によって被監視者Ｏｂ−２の状態（状況）を判定し、監視情報通信信号を送信すると（Ｃ１）、管理サーバ装置ＳＶを介して、監視情報通信信号が各携帯端末装置ＴＡ−１、ＴＡ−２それぞれに受信される（Ｃ２−１、Ｃ２−２）。
【００９１】
この監視情報通信信号を受信すると、携帯端末装置ＴＡ−１は、処理Ｓ１２ないし処理Ｓ１６によって、被監視者Ｏｂ−２（センサＩＤがＳＵ−２であるセンサ装置ＳＵ−２）に関する監視情報画面６２ａ−１をＴＡ表示部４６−１に表示する。同様に、携帯端末装置ＴＡ−２は、処理Ｓ１２ないし処理Ｓ１６によって、被監視者Ｏｂ−２に関する監視情報画面６２ａ−２をＴＡ表示部４６−２に表示する。
【００９２】
ここで、介護士ＮＡさんが携帯端末装置ＴＡ−１で「ＬＩＶＥを見る」ボタン６２５を入力操作すると、携帯端末装置ＴＡ−１は、処理Ｓ１８および処理Ｓ１９によって、動画要求通知信号（動画操作受付通知信号）を管理サーバ装置ＳＶへ送信する（Ｃ３）。管理サーバ装置ＳＶは、この動画要求通知信号を受信すると、処理Ｓ３１ないし処理Ｓ３３によって、動画接続情報通信信号を携帯端末装置ＴＡ−１へ返信し（Ｃ４）、処理Ｓ３４によって、動画受付通知信号（動画受付禁止指令信号、対応中表示指令通信信号）を携帯端末装置ＴＡ−２する（Ｃ５）。
【００９３】
前記動画接続情報通信信号を受信すると、携帯端末装置ＴＡ−１は、処理Ｓ４２によって、ネットワークＮＷを介してセンサ装置ＳＵ−２に接続し、前記センサ装置ＳＵから動画をストリーミング再生によって、図１５に示すように、監視情報画面６２ｂの画像領域６２３に、被監視者Ｏｂ−２の動画を表示する（Ｃ６）。この監視情報画面６２ｂでは、「ＬＩＶＥを見る」ボタン６２５に代え、「ＬＩＶＥ終了」ボタン６２６が表示される。この「ＬＩＶＥ終了」ボタン６２６は、前記センサ装置ＳＵ−２によって撮像される動画を終了させる指示を入力するためのボタンである。
【００９４】
一方、前記動画受付通知信号を受信すると、携帯端末装置ＴＡ−２は処理Ｓ４３および処理Ｓ４４によって、図１５に示すように、監視情報画面６２ａ−２で「ＬＩＶＥを見る」ボタン６２５をグレーアウトの表示に変え、「介護士ＮＡ対応中」６２８のメッセージを表示する。これによって、ＴＡ表示部４６には、グレーアウトした「ＬＩＶＥを見る」ボタン６２７および「介護士ＮＡ対応中」６２８のメッセージを持つ監視情報画面６２ｃが表示され、ユーザ（監視者）による「ＬＩＶＥを見る」ボタン６２７の入力操作を不能にする。これによって携帯端末装置ＴＡ−１、ＴＡ−２は、互いに連携される。
【００９５】
ここで、介護士ＮＡさんが携帯端末装置ＴＡ−１で「復旧」ボタン６２４を入力操作すると、携帯端末装置ＴＡ−１は、処理Ｓ１８および処理Ｓ１９によって、復旧通知信号を監視サーバ装置ＳＶへ送信する（Ｃ７）。
【００９６】
この復旧通知信号を受信すると、管理サーバ装置ＳＶは、処理Ｓ３１、処理Ｓ３２および処理Ｓ３５によって、復旧情報通信信号を携帯端末装置ＴＡ−１、ＴＡ−２へ送信する（Ｃ８−１、Ｃ８−２）。
【００９７】
この復旧情報通信信号を受信すると、携帯端末装置ＴＡ−１、ＴＡ−２は、それぞれ、処理Ｓ４５によって、センサ装置ＳＵ−２の監視情報をＴＡ監視情報テーブルＭＴ−ＴＡから削除し、そして、センサ装置ＳＵ−２の監視情報画面６２ａ−１、６２ａ−２を削除し、待ち受け画面６１−１、６１−２を表示する。これによって携帯端末装置ＴＡ−１、ＴＡ−２は、互いに連携される。
【００９８】
次に、監視情報通信信号を第１グループの携帯端末装置ＴＡへ送信後、所定の時間内に、第１受付通知信号（本実施形態では、動画要求通信信号（動画操作受付通知信号））を受信しない場合に、前記監視情報通信信号を第２グループの携帯端末装置へ送信する動作について説明する。図１６は、前記監視サーバ装置における、監視情報を第２グループへ送信する動作を示すフローチャートである。
【００９９】
図１６において、上述したように、センサ装置ＳＵから監視情報通信信号を受信すると、管理サーバ装置ＳＶは、ＳＶ監視処理部１１２によって、必要な処理を行って、監視情報通信信号を第１グループの携帯端末装置ＴＡにＳＶ通信ＩＦ部１３で送信する（図１４ではＣ２−１、Ｃ２−２）。この際に、連携処理部１１３は、前記センサ装置ＳＵから受信した前記監視情報通信信号に収容されていたセンサＩＤに対応付けて、前記所定の時間（例えば５分、１０分および２０分等）を計るタイマーを生成し、前記センサＩＤにかかるタイマーをスタートする（Ｓ５１）。
【０１００】
次に、連携処理部１１３は、前記タイマーがタイムアップしたか否かを判定する（Ｓ５２）。前記タイマーがタイムアップしていない場合（Ｎｏ）には、連携処理部１１３は、処理を処理Ｓ５２に戻し、一方、前記タイマーがタイムアップしている場合（Ｙｅｓ）には、連携処理部１１３は、前記タイマーのセンサＩＤに対応する第１受付通知信号（本実施形態では、動画要求通信信号（動画操作受付通知信号）を既に受信しているか否かを判定する（Ｓ５３）。より具体的には、連携処理部１１３は、前記タイマーのセンサＩＤをセンサＩＤフィールド１２１１に登録し、かつ、復旧フィールド１２１７にフラグ「０」を登録しているレコードをＳＶ監視情報テーブルＭＴ−ＳＶから検索する。この検索の結果、このようなレコードが無い場合には、既に、復旧済みであるので、連携処理部１１３は、前記第１受付通知信号の受信の有無にかかわらず、前記第１受付通知信号を既に受信済みと判定し、この処理を終了する。前記検索の結果、このようなレコードが検索された場合には、連携処理部１１３は、この検索されたレコードの状況確認中フィールド１２１６に登録されている登録内容を判定する。この判定の結果、前記状況確認中フィールド１２１６に端末ＩＤが登録されている場合には、連携処理部１１３は、前記第１受付通知信号を既に受信済みと判定し、この処理を終了する。一方、前記状況確認中フィールド１２１６にフラグ「０」が登録されている場合には、連携処理部１１３は、前記第１受付通知信号を受信していないと判定し、次の処理Ｓ５４を実行する。
【０１０１】
この処理Ｓ５４では、連携処理部１１３は、前記タイマーのセンサＩＤにかかる監視情報通信信号の第２グループの携帯端末装置ＴＡへ前記監視情報通信信号をＳＶ通信ＩＦ部１３で送信し、この処理を終了する。より具体的には、連携処理部１１３は、前記タイマーのセンサＩＤをセンサＩＤフィールド５３１に登録するレコードをＳＶセンサ情報テーブルＰＴ−ＳＶから検索し、この検索したレコードの被監視者フィールド５３３に登録されている被監視者Ｏｂの名前を取得し、この取得した被監視者Ｏｂの名前を被監視者フィールド５４１に登録しているレコードを被監視者情報テーブルＤＴから検索し、この検索したレコードの第２送信先フィールド５４３に登録されているグループＩＤを取得し、この取得したグループＩＤをグループフィールド５１１に登録しているレコードをグループ情報テーブルＧＴから検索し、この検索したレコードの監視者フィールド５１２に登録されている監視者の名前を取得し、この取得した監視者の名前を監視者フィールド５２１に登録しているレコードを端末情報テーブルＴＴから検索し、この検索したレコードの端末ＩＤフィールドに登録されている端末ＩＤを取得する。そして、この取得した端末ＩＤを持つ携帯端末装置ＴＡへ、前記監視情報通信信号を送信する。これによって被監視者Ｏｂの状態（状況）が第２グループの携帯端末装置ＴＡに報知される。
【０１０２】
以上説明したように、本実施形態における被監視者監視システムＭＳ、その管理サーバ装置ＳＶおよびこれに実装された方法は、連携処理部１１３によって、或る携帯端末装置（第１携帯端末装置）ＴＡから前記第１受付通知信号（本実施形態では、動画要求通信信号（動画操作受付通知信号））を受信した場合に、前記第１携帯端末装置ＴＡの属する第１グループに属する前記第１端末装置を除く残余の携帯端末装置（第２携帯端末装置）へ、前記第２受付通知信号を送信するので、携帯端末装置ＴＡ間を相互に連携させ得る。前記第２受付通知信号を受信した前記第２携帯端末装置ＴＡを扱う第２ユーザ（第２監視者）は、前記第１携帯端末装置ＴＡで前記所定の操作を受け付けた旨を参照することで、通知を受けた監視情報に対し前記第１携帯端末装置ＴＡを扱う第１ユーザ（第１監視者）が対応する意思を表明したことを認識できる。
【０１０３】
本実施形態における被監視者監視システムＭＳ、その管理サーバ装置ＳＶおよびこれに実装された方法は、第１グループにおける１つの携帯端末装置ＴＡで前記所定の操作（本実施形態では動画要求操作）を受け付けた場合に、前記第１グループにおける残余の携帯端末装置ＴＡには前記所定の操作の受付を禁止して許可しないので、二重に前記所定の操作を受け付けることを防止でき、携帯端末装置ＴＡ間を相互に連携させ得る。前記所定の操作がセンサ装置ＳＵの撮像部で生成された被監視者の動画を要求するための動画要求操作である場合に、どの端末装置でも自由に被監視者を見ることができず、前記被監視者Ｏｂのプライバシーの保護に寄与できる。
【０１０４】
本実施形態における被監視者監視システムＭＳ、その管理サーバ装置ＳＶおよびこれに実装された方法は、センサ装置ＳＵが前記撮像部を備える場合には動画要求操作によって端末装置に動画を表示でき、また、センサ装置ＳＵが音入出力部を備える場合にはセンサ装置ＳＵとの間で携帯端末装置ＴＡに音声通話を可能にする。
【０１０５】
本実施形態における被監視者監視システムＭＳ、その管理サーバ装置ＳＶおよびこれに実装された方法は、前記第２携帯端末装置ＴＡに対応中のメッセージを表示させるので、前記第１携帯端末装置ＴＡを扱う第１監視者が対応中であることを、前記第２携帯端末装置ＴＡを扱う第２監視者に明確に認識させることができる。
【０１０６】
本実施形態における被監視者監視システムＭＳ、その管理サーバ装置ＳＶおよびこれに実装された方法は、前記所定の時間内に第１グループが未対応であった場合に、第２グループへ前記監視情報を送信するので、対応漏れを防止でき、グループ間で連携できる。
【０１０７】
本明細書は、上記のように様々な態様の技術を開示しているが、そのうち主な技術を以下に纏める。
【０１０８】
一態様にかかる被監視者監視システムの中央処理装置は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理装置であって、通信を行うための通信部と、前記センサ装置と、前記センサ装置から受信した検知結果に基づく前記被監視者に関する監視情報を送信する第１の送信先である複数の端末装置から成る第１グループとの対応関係を記憶する送信先端末グループ情報記憶部と、或る第１端末装置から、前記第１端末装置で前記センサ装置に対する所定の操作を受け付けた旨を当該中央処理装置へ通知するための第１受付通知信号を前記通信部で受信した場合に、前記第１端末装置の属する第１グループに属する前記第１端末装置を除く残余の第２端末装置へ、前記第１端末装置で前記所定の操作を受け付けた旨を前記残余の第２端末装置へ通知するための第２受付通知信号を前記通信部で送信する連携処理部とを備える。
【０１０９】
このような中央処理装置は、連携処理部によって、或る第１端末装置から前記第１受付通知信号を受信した場合に、前記第１端末装置の属する第１グループに属する前記第１端末装置を除く残余の第２端末装置へ、前記第２受付通知信号を送信するので、端末装置間を相互に連携させ得る。前記第２受付通知信号を受信した前記第２端末装置を扱う第２ユーザ（第２監視者）は、前記第１端末装置で前記所定の操作を受け付けた旨を参照することで、通知を受けた監視情報に対し前記第１端末装置を扱う第１ユーザ（第１監視者）が対応する意思を表明したことを認識できる。
【０１１０】
他の一態様では、上述の被監視者監視システムの中央処理装置において、前記連携処理部は、さらに、前記第２端末装置で前記所定の操作を受け付けることを禁止する指令を通知するための受付禁止指令信号を前記通信部で前記第２端末装置へ送信する。好ましくは、前記受付禁止指令信号は、前記第２受付通知信号と兼用される。
【０１１１】
このような中央処理装置は、第１グループにおける１つの端末装置で前記所定の操作を受け付けた場合に、前記第１グループにおける残余の端末装置には前記所定の操作の受付を禁止して許可しないので、二重に前記所定の操作を受け付けることを防止でき、端末装置間を相互に連携させ得る。前記所定の操作がセンサ装置の撮像部で生成された被監視者の動画を要求するための動画要求操作である場合に、どの端末装置でも自由に被監視者を見ることができず、前記被監視者のプライバシーの保護に寄与できる。
【０１１２】
他の一態様では、これら上述の被監視者監視システムの中央処理装置において、前記センサ装置は、前記被監視者の動画を生成する撮像部および音を入出力する音入出力部のうちの少なくとも一方を備え、前記所定の操作は、前記センサ装置の前記撮像部で生成された前記被監視者の動画を要求するための動画要求操作および前記センサ装置の前記音入出力部を用いた音声通話を要求するための通話要求操作のうちの少なくとも一方である。
【０１１３】
このような中央処理装置は、センサ装置が撮像部を備える場合には動画要求操作によって端末装置に動画を表示でき、また、センサ装置が音入出力部を備える場合にはセンサ装置との間で端末装置に音声通話を可能にする。
【０１１４】
他の一態様では、これら上述の被監視者監視システムの中央処理装置において、前記連携処理部は、さらに、前記第２端末装置に前記第１端末装置で対応中である旨のメッセージを表示させるための対応中表示指令通信信号を前記通信部で前記第２端末装置へ送信する。好ましくは、前記対応中表示指令通信信号は、前記受付禁止指令信号と兼用される。好ましくは、前記対応中表示指令通信信号は、前記第２受付通知信号と兼用される。
【０１１５】
このような中央処理装置は、第２端末装置にメッセージを表示させるので、第１端末装置を扱う第１監視者が対応中であることを、前記第２端末装置を扱う第２監視者に明確に認識させることができる。
【０１１６】
他の一態様では、これら上述の被監視者監視システムの中央処理装置において、前記送信先端末グループ情報記憶部は、前記センサ装置と、前記センサ装置から受信した検知結果に基づく前記被監視者に関する監視情報を、前記第１グループへの送信の次に送信する、第２の送信先である複数の端末装置から成る第２グループとの対応関係をさらに記憶し、前記連携処理部は、前記センサ装置から受信した検知結果に基づく前記被監視者に関する監視情報を前記センサ装置に対応する前記第１グループに属する各端末装置へ前記通信部で送信した時点から所定の時間の経過までに前記第１受付通知信号を前記通信部で受信しなかった場合に、前記センサ装置から受信した検知結果に基づく前記被監視者に関する前記監視情報を前記センサ装置に対応する前記第２グループに属する各端末装置へ前記通信部で送信する。
【０１１７】
このような中央処理装置は、前記所定の時間内に第１グループが未対応であった場合に、第２グループへ前記監視情報を送信するので、対応漏れを防止でき、グループ間で連携できる。
【０１１８】
他の一態様にかかる被監視者監視システムの中央処理方法は、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムにおける前記中央処理方法であって、前記センサ装置と、前記センサ装置から受信した検知結果に基づく前記被監視者に関する監視情報を送信する第１の送信先である複数の端末装置から成る第１グループとの対応関係を送信先端末グループ情報記憶部に記憶する記憶工程と、或る第１端末装置から、前記第１端末装置で前記センサ装置に対する所定の操作を受け付けた旨を当該中央処理装置へ通知するための第１受付通知信号を通信部で受信した場合に、前記第１端末装置の属する第１グループに属する前記第１端末装置を除く残余の第２端末装置へ、前記第１端末装置で前記所定の操作を受け付けた旨を前記残余の第２端末装置へ通知するための第２受付通知信号を前記通信部で送信する連携処理工程とを備える。
【０１１９】
このような中央処理方法は、連携処理工程によって、或る第１端末装置から前記第１受付通知信号を受信した場合に、前記第１端末装置の属する第１グループに属する前記第１端末装置を除く残余の第２端末装置へ、前記第２受付通知信号を送信するので、端末装置間を相互に連携させ得る。また、前記第２受付通知信号を受信した前記第２端末装置を扱う第２ユーザ（第２監視者）は、前記第１端末装置で前記所定の操作を受け付けた旨を参照することで、通知を受けた監視情報に対し前記第１端末装置を扱う第１ユーザ（第１監視者）が対応する意思を表明したことを認識できる。
【０１２０】
他の一態様にかかる被監視者監視システムは、監視対象である被監視者を検知するセンサ装置、前記センサ装置と通信可能に接続され前記センサ装置から受信した検知結果に基づく前記被監視者に関する監視情報を管理する中央処理装置、および、前記中央処理装置と通信可能に接続され前記監視情報を受信して表示する複数の端末装置を備え、前記被監視者を監視するための被監視者監視システムであって、前記中央処理装置は、これら上述のいずれかの中央処理装置である。
【０１２１】
このような被監視者監視システムは、端末装置間を相互に連携させ得る。
【０１２２】
この出願は、２０１５年６月９日に出願された日本国特許出願特願２０１５−１１６６３６を基礎とするものであり、その内容は、本願に含まれるものである。
【０１２３】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、請求の範囲に記載された請求項の権利範囲を離脱するレベルのものでない限り、当該変更形態または当該改良形態は、当該請求項の権利範囲に包括されると解釈される。
【産業上の利用可能性】
【０１２４】
本発明によれば、被監視者監視システムの中央処理装置および中央処理方法、ならびに、前記被監視者監視システムが提供できる。
【図１】
2016199502.tif 000003
【図２】
2016199502.tif 000004
【図３】
2016199502.tif 000005
【図４】
2016199502.tif 000006
【図５】
2016199502.tif 000007
【図６】
2016199502.tif 000008
【図７】
2016199502.tif 000009
【図８】
2016199502.tif 000010
【図９】
2016199502.tif 000011
【図１０】
2016199502.tif 000012
【図１１】
2016199502.tif 000013
【図１２】
2016199502.tif 000014
【図１３】
2016199502.tif 000015
【図１４】
2016199502.tif 000016
【図１５】
2016199502.tif 000017
【図１６】
2016199502.tif 000018
【国際調査報告】
2016199502.tif 000019
2016199502.tif 000020